(57)【要約】  少なくとも１０倍から約２５倍、おそらくはこれ以上に免疫アッセイの感度を改善する方法。そのうえさらに、本発明の方法は、免疫アッセイの感度を上げるだけではなく、アッセイ特異性も改善する。分析物の感度を０．２ｐｇ／ｍＬにする、またはこれより良くするために、本発明は、信号（例えば、化学発光信号）の増幅、特異的結合メンバー（例えば、モノクローナル抗体）、および量の多い試料（例えば、約０．２ｍＬから約３ｍＬ）からの微小粒子分離（例えば、磁気微小粒子分離）を含む、免疫アッセイを提供する。このような免疫アッセイは、自動免疫アッセイ分析機（例えば、ＡＲＣＨＩＴＥＣＴ（登録商標）分析機シリーズの自動免疫アッセイ分析機）で実行することができる。
2011501194.tif 000002
【特許請求の範囲】
【請求項１】
特異的結合対の第一のメンバーを有する分析物を含有すると思われる生体試料中の分析物濃度を求める方法であって、
（ａ）複数の容器を用意する工程、
（ｂ）第一の特異的結合メンバーを有する分析物を含有すると思われる生体試料と第二の特異的結合メンバーで被覆された磁気微小粒子とを複数の容器のうち少なくとも１つの容器に入れる工程、
（ｃ）第一の特異的結合メンバーを第二の特異的結合メンバーと反応させて磁気微小粒子含有複合体を形成する工程、
（ｄ）逆磁気粒子処理により、工程（ｃ）で形成した複合体を集める工程、
（ｅ）逆磁気粒子処理により、工程（ｄ）で集めた複合体を複数の容器のうち洗浄緩衝液の入った容器に放出する工程、
（ｆ）逆磁気粒子処理により、工程（ｅ）で放出した複合体を洗って、結合していない第一の特異的結合メンバーと非特異的に結合した要素とを洗い落とす工程、
（ｇ）逆磁気粒子処理により、工程（ｆ）で洗った複合体を集める工程、
（ｈ）複合体を自動免疫アッセイ分析機に導入する工程、
（ｉ）自動免疫アッセイ分析機により、試料中の分析物濃度を求める工程を含む、方法。
【請求項２】
第一の特異的結合メンバーは抗原である、請求項１の方法。
【請求項３】
抗原はＨＩＶ抗原である、請求項２の方法。
【請求項４】
第二の特異的結合メンバーは、抗原に特異的な抗体である、請求項２の方法。
【請求項５】
抗体はＨＩＶ抗原に特異的である、請求項４の方法。
【請求項６】
発光標識を用いて分析物の濃度を求める、請求項１の方法。
【請求項７】
発光標識は接合体の一部分である、請求項６の方法。
【請求項８】
接合体は、第一の特異的結合メンバーまたは第二の特異的結合メンバーの１つと特異的に結合する部分を含む、請求項７の方法。
【請求項９】
接合体は自動免疫アッセイ分析機に導入される、請求項６の方法。
【請求項１０】
発光標識は化学発光標識である、請求項６の方法。
【請求項１１】
複数の容器は複数の管を含む、請求項１の方法。
【請求項１２】
複数の容器は複数のマイクロウェルを含む、請求項１の方法。
【請求項１３】
特異的結合対の第一のメンバーを有する分析物を含有すると思われる生体試料中の分析物濃度を求める方法であって、
（ａ）複数の容器を用意する工程、
（ｂ）第一の特異的結合メンバーを有する分析物を含有すると思われる生体試料と第二の特異的結合メンバーで被覆された磁気微小粒子とを複数の容器のうち少なくとも１つの容器に入れる工程、
（ｃ）第一の特異的結合メンバーを第二の特異的結合メンバーと反応させて磁気微小粒子含有複合体を形成する工程、
（ｄ）逆磁気粒子処理により、工程（ｃ）で形成した複合体を集める工程、
（ｅ）工程（ｄ）で集めた複合体を複数の容器のうちの１つの容器に放出し、前記容器は（ｉ）洗浄緩衝液を含むが第三の特異的結合メンバーを含まない、または（ｉｉ）第三の特異的結合メンバーを含むいずれかであり、前記放出は逆磁気粒子処理により行われる工程、
（ｆ）工程（ｅ）の容器が洗浄緩衝液を含むが第三の特異的結合メンバーを含まない場合、工程（ｅ）の容器に第三の特異的結合メンバーを加える工程、
（ｇ）第三の特異的結合メンバーを、工程（ｅ）で放出された複合体と反応させてサンドイッチ型複合体を形成する工程、
（ｈ）逆磁気粒子処理により、工程（ｇ）で形成したサンドイッチ型複合体を集める工程、
（ｉ）工程（ｈ）で集めたサンドイッチ型複合体を複数の容器のうちの１つの容器に放出し、この容器は（ｉ）結合していない第三の特異的結合メンバーを洗い落とすための洗浄緩衝液、または（ｉｉ）結合していない第三の特異的結合メンバーを洗い落とすための試料のいずれかを含有し、前記放出は逆磁気粒子処理により行われる工程、
（ｊ）逆磁気粒子処理により、工程（ｉ）で放出したサンドイッチ型複合体を集める工程、
（ｋ）逆磁気粒子処理により、工程（ｊ）で集めたサンドイッチ型複合体を複数の容器のうちの１つの容器に放出し、この容器はプレトリガー溶液を含有し、それにより特異的に結合した第三の結合メンバーを放出する工程、
（Ｉ）逆磁気粒子処理により、プレトリガー溶液から磁気粒子を集めて複数の容器のうちの１つの容器に放出し、この容器は洗浄緩衝液を含有する工程、
（ｍ）トリガー溶液をプレトリガー溶液に注入して発生した信号を読むことにより、試料中の分析物濃度を求めることを含む、方法。
【請求項１４】
第一の特異的結合メンバーは抗原である、請求項１３の方法。
【請求項１５】
抗原はＨＩＶ抗原である、請求項１４の方法。
【請求項１６】
第二の特異的結合メンバーは、抗原に特異的な抗体である、請求項１４の方法。
【請求項１７】
抗体はＨＩＶ抗原に特異的である、請求項１６の方法。
【請求項１８】
発光標識を用いて分析物の濃度を求める、請求項１３の方法。
【請求項１９】
発光標識は接合体の一部分である、請求項１８の方法。
【請求項２０】
接合体は、第一の特異的結合メンバーまたは第二の特異的結合メンバーの１つと特異的に結合する部分を含む、請求項１９の方法。
【請求項２１】
発光標識は化学発光標識である、請求項１９の方法。
【発明の詳細な説明】
【技術分野】
【０００１】
本出願は、２００７年１０月２５日提出の米国特許出願逐次番号１１／９２３，８２８の優先権を主張し、この内容は参照により本明細書に組み込まれる。
【０００２】
本発明は、免疫アッセイに関する。より詳細には、試料中に低濃度で含まれる分析物の免疫アッセイに関する。
【背景技術】
【０００３】
核酸検査は、上限１ミリリットル（ｍＬ）までの体積の試料を処理することが可能である。核酸検査では、ＲＮＡまたはＤＮＡを単離してポリメラーゼ連鎖反応法（ＰＣＲ）サイクルを２０から４０回繰り返して標的を増幅する、試料調製工程が必要である。こうした工程に４から５時間かけてはじめてアッセイを行える。核酸検査は自動免疫アッセイ分析機の検出感度よりも高い感度を提供する。しかしながら、核酸検査は大きな労力を必要とし、完了まで時間が長くかかり、費用がかかる。
【０００４】
最新の自動免疫アッセイ分析機は、約１００マイクロリットル（μＬ）しか体積のない試料を処理し、完了まで１時間も必要とせず、および費用がかからない。自動免疫アッセイ分析機の検出感度は、以下の理由で限定される：（１）少量、例えば約７５μＬから約２００μＬの試料を用いると、試料に含まれる分析物の量が分析機により検出可能な量よりも少なくなる可能性がある、（２）現在の分析機は、量が多すぎる試料、例えば２００μＬより多い試料だと処理できない。
【０００５】
免疫アッセイ検査のスピードを維持し免疫アッセイ検査に伴うコストを抑えたまま、核酸検査と自動免疫アッセイ分析機による検査との間の感度の差を縮めることができれば、望ましい。
【０００６】
食品医薬品局（本明細書で以下、ＦＤＡともいう）は、最近、ヒト免疫不全ウイルス（ＨＩＶ）、肝炎、およびその他ウイルスなどの分析物（これらは全て、体液中に低濃度で存在する。）について血液および血漿をスクリーニングする核酸検査を認可している。体液中に低濃度で存在する他の分析物／抗原として、トロポニン、心臓発作または心臓障害の心臓バイオマーカー、および甲状腺機能亢進症または甲状腺機能低下症のインジケーターである甲状腺刺激ホルモン（ＴＳＨ）が挙げられる。血液バンクおよび血漿機関は、提供者から集めたものを核酸検査によりＨＩＶおよびＨＣＶについてスクリーニングしている。急速にＨＩＶ抗原検査と置き換わって核酸検査が実施されているものの、核酸検査に匹敵する０．２ｐｇ／ｍＬ以下の抗原を検出する低コストの超高感度ＨＩＶ（ｐ２４）抗原免疫アッセイを開発することは依然として望まれている。０．２ｐｇ／ｍＬ感度の免疫アッセイは、食品医薬品局が核酸検査システムに要求している５，０００ＨＩＶコピーのＲＮＡ／ｍＬという核酸感度よりも高い感度である。
【発明の概要】
【発明が解決しようとする課題】
【０００７】
本発明は、少なくとも１０倍から約２５倍、おそらくはこれ以上に免疫アッセイの感度を改善する方法を提供する。そのうえさらに、本発明の方法は、免疫アッセイの感度を上げるだけではなく、アッセイ特異性も改善する。
【課題を解決するための手段】
【０００８】
分析物の感度を０．２ｐｇ／ｍＬにする、またはこれより良くするために、本発明は、信号（例えば、化学発光信号）の増幅、特異的結合メンバー（例えば、モノクローナル抗体）、および量の多い試料（例えば、約０．２ｍＬから約３ｍＬ）からの微小粒子分離（例えば、磁気微小粒子分離）を含む、免疫アッセイを提供する。このような免疫アッセイは、自動免疫アッセイ分析機（例えば、ＡＲＣＨＩＴＥＣＴ（登録商標）分析機シリーズの自動免疫アッセイ分析機、Ａｂｂｏｔｔ  Ｌａｂｏｒａｔｏｒｉｅｓ（Ａｂｂｏｔｔ  Ｐａｒｋ，Ｉｌｌｉｎｏｉｓ）が販売）と組み合わせて、ＫｉｎｇＦｉｓｈｅｒ（商標）ｍＬ磁気粒子プロセッサまたはＫｉｎｇＦｉｓｈｅｒ（商標）磁気粒子プロセッサを試料プロセッサとして用いて量の多い試料から分析物を捕獲することにより実行することができる。本方法は、以下の工程を含む：
（ａ）複数の容器を用意する工程、
（ｂ）第一の特異的結合メンバーを有する分析物を含有すると思われる生体試料と第二の特異的結合メンバーで被覆された磁気微小粒子とを複数の容器のうち少なくとも１つの容器に入れる工程、
（ｃ）第一の特異的結合メンバーを第二の特異的結合メンバーと反応させて磁気微小粒子含有複合体を形成する工程、
（ｄ）逆磁気粒子処理により、工程（ｃ）で形成した複合体を集める工程、
（ｅ）逆磁気粒子処理により、工程（ｄ）で集めた複合体を複数の容器のうち洗浄緩衝液の入った容器に放出する工程、
（ｆ）逆磁気粒子処理により、工程（ｅ）で放出した複合体を洗って、結合していない第一の特異的結合メンバーと非特異的に結合した要素とを洗い落とす工程、
（ｇ）逆磁気粒子処理により、工程（ｆ）で洗った複合体を集める工程、
（ｈ）複合体を自動免疫アッセイ分析機に導入する工程、および
（ｉ）自動免疫アッセイ分析機により、試料中の分析物濃度を求めること。
【０００９】
第二の実施形態では、自動分析機は必要ない。この第二の実施形態では、免疫アッセイは、特異的結合メンバーを用いて、量の多い試料から分析物を捕獲し、次いで特異的結合メンバーを有する接合体によりサンドイッチ型複合体を形成させ、次いで接合体の一部分により生じる信号を読むことにより、ＫｉｎｇＦｉｓｈｅｒ（商標）ｍＬ磁気粒子プロセッサまたはＫｉｎｇＦｉｓｈｅｒ（商標）磁気粒子プロセッサにより実行することができる。本方法は、以下の工程を含む：
（ａ）複数の容器を用意する工程、
（ｂ）第一の特異的結合メンバーを有する分析物を含有すると思われる生体試料と第二の特異的結合メンバーで被覆された磁気微小粒子とを複数の容器のうち少なくとも１つの容器に入れる工程、
（ｃ）第一の特異的結合メンバーを第二の特異的結合メンバーと反応させて磁気微小粒子含有複合体を形成する工程、
（ｄ）逆磁気粒子処理により、工程（ｃ）で形成した複合体を集める工程、
（ｅ）工程（ｄ）で集めた複合体を複数の容器のうちの１つの容器に放出し、前記容器は（ｉ）洗浄緩衝液を含むが第三の特異的結合メンバーを含まない、または（ｉｉ）第三の特異的結合メンバーを含むいずれかであり、前記放出は逆磁気粒子処理により行われる工程、
（ｆ）工程（ｅ）の容器が洗浄緩衝液を含むが第三の特異的結合メンバーを含まない場合、工程（ｅ）の容器に第三の特異的結合メンバーを加える工程、
（ｇ）第三の特異的結合メンバーを、工程（ｅ）で放出された複合体と反応させてサンドイッチ型複合体を形成する工程、
（ｈ）逆磁気粒子処理により、工程（ｇ）で形成したサンドイッチ型複合体を集める工程、
（ｉ）工程（ｈ）で集めたサンドイッチ型複合体を複数の容器のうちの１つの容器に放出し、容器は（ｉ）結合していない第三の特異的結合メンバーを洗い落とすための洗浄緩衝液、または（ｉｉ）結合していない第三の特異的結合メンバーを洗い落とすための試料のいずれかを含有し、前記放出は逆磁気粒子処理により行われる工程、
（ｊ）逆磁気粒子処理により、工程（ｉ）で放出したサンドイッチ型複合体を集める工程、
（ｋ）逆磁気粒子処理により、工程（ｊ）で集めたサンドイッチ型複合体を複数の容器のうちの１つの容器に放出し、この容器はプレトリガー溶液を含有し、それにより特異的に結合した第三の結合メンバーを放出する工程、
（Ｉ）逆磁気粒子処理により、プレトリガー溶液から磁気粒子を集めて複数の容器のうちの１つの容器に放出し、この容器は洗浄緩衝液を含有する工程、および
（ｍ）トリガー溶液をプレトリガー溶液に注入して発生した信号を読むことにより、試料中の分析物濃度を求めること。
【００１０】
本明細書に記載される方法は、免疫アッセイに利用できる分析物の量を増加させることにより免疫アッセイの感度を高める。本明細書に記載される方法は、アッセイの感度を、核酸検査、即ち分子診断の感度に近いレベル、即ち実質的に等価なレベルに改善する。
【図面の簡単な説明】
【００１１】
【図１】ＫｉｎｇＦｉｓｈｅｒ（商標）ｍＬ磁気粒子プロセッサの斜視図である。
【図２】免疫アッセイ用試料を調製する逆磁気粒子処理手順を行うのに適したＫｉｎｇＦｉｓｈｅｒ（商標）ｍＬ磁気粒子プロセッサを示す正立正面図である。
【図３】免疫アッセイ用試料を調製する逆磁気粒子処理手順を行うのに適したＫｉｎｇＦｉｓｈｅｒ（商標）磁気粒子プロセッサを示す正立正面図である。このプロセッサは１プレートあたり９６個のマイクロウェルを有するマイクロウェルプレートを用いる。
【図４】免疫アッセイ用試料を調製する逆磁気粒子処理手順を行うのに適したマイクロウェルプレートの上面図である。図４では、２本のウェル列がマイクロウェルプレートから外されている。外したウェル列の１本は上面図フォーマットで見ることができる。外したウェル列のもう１本は側面図フォーマットで見ることができる。
【図５】ＫｉｎｇＦｉｓｈｅｒ（商標）磁気粒子プロセッサで用いるのに適したチップコームの正立側面図である。
【図６Ａ】ＫｉｎｇＦｉｓｈｅｒ（商標）ｍＬ磁気粒子プロセッサにより用いられる逆磁気粒子処理手順を示す一連の模式図を構成する。
【図６Ｂ】ＫｉｎｇＦｉｓｈｅｒ（商標）ｍＬ磁気粒子プロセッサにより用いられる逆磁気粒子処理手順を示す一連の模式図を構成する。
【図６Ｃ】ＫｉｎｇＦｉｓｈｅｒ（商標）ｍＬ磁気粒子プロセッサにより用いられる逆磁気粒子処理手順を示す一連の模式図を構成する。
【図６Ｄ】ＫｉｎｇＦｉｓｈｅｒ（商標）ｍＬ磁気粒子プロセッサにより用いられる逆磁気粒子処理手順を示す一連の模式図を構成する。
【図６Ｅ】ＫｉｎｇＦｉｓｈｅｒ（商標）ｍＬ磁気粒子プロセッサにより用いられる逆磁気粒子処理手順を示す一連の模式図を構成する。
【図６Ｆ】ＫｉｎｇＦｉｓｈｅｒ（商標）ｍＬ磁気粒子プロセッサにより用いられる逆磁気粒子処理手順を示す一連の模式図を構成する。
【図７Ａ】ＫｉｎｇＦｉｓｈｅｒ（商標）磁気粒子プロセッサにより用いられる逆磁気粒子処理手順を示す一連の模式図を構成する。
【図７Ｂ】ＫｉｎｇＦｉｓｈｅｒ（商標）磁気粒子プロセッサにより用いられる逆磁気粒子処理手順を示す一連の模式図を構成する。
【図７Ｃ】ＫｉｎｇＦｉｓｈｅｒ（商標）磁気粒子プロセッサにより用いられる逆磁気粒子処理手順を示す一連の模式図を構成する。
【図７Ｄ】ＫｉｎｇＦｉｓｈｅｒ（商標）磁気粒子プロセッサにより用いられる逆磁気粒子処理手順を示す一連の模式図を構成する。
【図７Ｅ】ＫｉｎｇＦｉｓｈｅｒ（商標）磁気粒子プロセッサにより用いられる逆磁気粒子処理手順を示す一連の模式図を構成する。
【図７Ｆ】ＫｉｎｇＦｉｓｈｅｒ（商標）磁気粒子プロセッサにより用いられる逆磁気粒子処理手順を示す一連の模式図を構成する。
【図８】免疫アッセイ用試料を調製する逆磁気粒子処理手順を利用した結果の信号増強を示すグラフである。図８は、ＡＲＣＨＩＴＥＣＴ（登録商標）自動免疫アッセイ分析機で分析した試料について、逆磁気粒子処理で予め処理しない場合（四角で表示）と逆磁気粒子処理で予め処理した場合（菱形で表示）の両方の信号対雑音比のプロットを示す。
【発明を実施するための形態】
【００１２】
本明細書で使用される場合、「容器」という用語は、管とウェルの両方を含むことを意図する。「ウェル」という用語は、マイクロウェルおよびマイクロウェルより容量の大きいウェルを含む。
【００１３】
本明細書で使用される場合、「標識」、「標識基」といった表現は、特異的結合メンバー（例えば、抗体または抗原）に結合した、特異的結合メンバーとこの相補的結合メンバーの反応を検出可能にする基を意味する。標識の代表例として、酵素、放射標識、フルオレセイン、および光を生じる化学物質が挙げられる。標識は、免疫反応体に結合させることができ、視覚的または機械的手段により検出可能な信号を発生する能力がある、任意の物質である。本発明で用いるのに適した様々な標識として、触媒、酵素、リポソーム、および信号発生物質（色素原、触媒、蛍光化合物、化学発光化合物、酵素、など）を含有するその他小胞が挙げられる。標識として用いるのに適した多数の酵素が、米国特許第４，２７５，１４９号に記載されて、参照により本明細書に組み込まれる。このような酵素として、グルコシダーゼ、ガラクトシダーゼ、ホスファターゼ、およびペルオキシダーゼ（アルカリホスファターゼおよび西洋ワサビペルオキシダーゼなど）が挙げられ、酵素基質（フルオレセインジ（ガラクトピラノシド）、ニトロブルーテトラゾリウム、３，５’，５，５’−テトラニトロベンジジン、４−メトキシ−１−ナフトール、４−クロロ−１−ナフトール、４−メチルウンベリフェリルホスファート、５−ブロモ−４−クロロ−３−インドリルホスファートなど）、化学発光酵素基質（ＷＯ８８１００６９４およびＥＰ０−２５４−０５１−Ａ２に記載されるジオキセタンなど）、ならびにこれらの誘導体および類似体と併せて用いられる。好ましくは、標識は酵素であり、最も好ましくは酵素はアルカリホスファターゼである。
【００１４】
本明細書で使用される場合、「検査試料」という表現、「生体試料」という表現、および「試料」という用語は、分析物を含有することが疑われる物質を示す。検査試料は試料源から得られた状態のまま直接、または検査試料の特性を修飾する前処理に続いて用いることができる。検査試料は、任意の生体源、例えば生理液（例えば、血液、唾液、眼球液、脳脊髄液、汗、尿、乳、腹水、滑液、腹膜液、羊水など）から由来するものが可能である。検査試料は、使用前に前処理（例えば血液から血漿を調製する、粘性の液を希釈するなど）することができる。処理方法として、濾過、蒸留、抽出、濃縮、干渉要素の不活性化、試薬の添加などを挙げることができる。環境面でのアッセイまたは食品製造アッセイを行うため、生理液以外の液体試料（水、食品など）を用いることも可能である。また、分析物を含有することが疑われる固体材料を試験試料として用いることも可能である。場合によっては、固体検査試料を修飾して液体媒体を形成すること、または分析物を放出させることが有用になり得る。
【００１５】
本明細書で使用される場合、「特異的結合メンバー」という表現は、特異的結合対、即ち一方の分子が化学的または物理的手段を通じて他方の分子に特異的に結合している２種の異なる分子の、片方メンバーを意味する。特異的結合対のこのような特異的結合メンバーの例は、抗原およびこの抗原と特異的に結合する抗体である。特異的結合対のこのような特異的結合メンバーの別の例は、第一の抗体およびこの第一の抗体と特異的に結合する第二の抗体である。
【００１６】
本明細書で使用される場合、「接合体」という用語は、検出可能な部分を接続した結合メンバー（例えば、抗原または抗体）を意味する。
【００１７】
本明細書で使用される場合、「固相」および「固相材料」などの表現は、不溶性、または後に続く反応によって不溶性にすることが可能な任意の材料を意味する。固相材料の代表例として、重合体ビーズまたはガラスビーズ、微小粒子、管、シート、プレート、スライド、ウェル、テープ、試験管などが挙げられる。
【００１８】
本明細書で使用される場合、「分析物」という用語は、検出されるべきまたは測定されるべき化合物を意味する。分析物は少なくとも１つのエピトープまたは結合部位を有する。
【００１９】
本明細書で使用される場合、「モノクローナル抗体」という表現は、１種類の免疫細胞であり全て単独の親細胞のクローンである細胞から製造された抗体であるため同一である抗体を意味する。
【００２０】
本明細書で使用される場合、「抗体の結合親和性」という用語は、抗体の１つの抗原結合部位とこの特異的抗原エピトープとの間の相互作用の強さを意味する。親和性が高いほど、抗原と抗体の会合は密接になり、抗原が結合部位により残るようになる。親和性定数は、抗体と抗原の結合およびかい離の速度定数の比である。ＩｇＧ抗体について代表的な親和性は、１０５から１０９Ｌ／モルである。
【００２１】
本明細書で使用される場合、「正常ヒト血漿」という表現は、目的の分析物を含まない、またはその他既知の異常もしくは病状がないヒト血漿を意味する。
【００２２】
本明細書で使用される場合、名詞の後ろにくっついた「（単数または複数）」という記号は、文脈に依存して、名詞が単数形または複数形であることを意味する。
【００２３】
本明細書で使用される場合、「前活性化」という用語は、１−エチル−３−（３−ジメチルアミノプロピル）カルボジイミド塩酸塩（本明細書で以下、「ＥＤＡＣ」）およびＮ−ヒドロキシスルホスクシンイミド（本明細書で以下、「スルホ−ＮＨＳ」）を微小粒子のカルボキシ基と反応させて、半安定ＮＨＳエステルを提供することを意味し、半安定ＮＨＳエステルはモノクローナル抗体のＮＨ２基と反応して安定なアミド結合を形成することにより抗体を微小粒子に接続させることができる。
【００２４】
本明細書で使用される場合、「磁気微小粒子」という用語は、常磁性微小粒子を意味する。常磁性微小粒子は磁場に引き寄せられるので、１よりも大きい相対磁気透過性を有する。しかしながら、同じく磁場に引き寄せられる強磁性体と違って、常磁性物質は、外部に磁場がかかっていないと、どのような磁性も維持しない。
【００２５】
本明細書で使用される場合、品目の後ろにくっついた「（単数または複数）」という記号は、文脈に依存して、対象とする品目が単数または複数であることを表す。本明細書で使用される場合、「Ｓ／Ｎ」という記号は信号対雑音比を意味する。
【００２６】
本明細書で使用される場合、「免疫アッセイ」という用語は、容器（例えば、試験管）中で行われる特別なクラスのアッセイまたは検査を意味し、このアッセイまたは検査は、抗体抗原反応を用いて、患者が抗原に曝露しているかどうか、または抗原に対する抗体を有するかどうかを決定する。免疫アッセイは、異種性免疫アッセイまたは同種性免疫アッセイであり得る。本明細書に記載される方法は、主に異種性免疫アッセイに関する。
【００２７】
異種性免疫アッセイは、競合的免疫アッセイフォーマットで、またはサンドイッチ型免疫アッセイフォーマットで行うことができる。競合的免疫アッセイフォーマットでは、抗原を固相材料に固定することができる。固相材料に結合した検出可能部分の量を検出、測定、または相関させて、検査試料に存在する抗体（抗原）の量とすることができる。固相材料の例として、ビーズ、粒子、微小粒子などが挙げられる。
【００２８】
本発明は、主にサンドイッチ型免疫アッセイフォーマットに関する。サンドイッチ型アッセイ免疫アッセイフォーマットでは、固相（例えば、微小粒子）を抗体で被覆する。固相上の抗体は、捕獲抗体として知られる。アッセイは、試料中の抗原を検出および測定することを意図する。第二の抗体を、適した標識（例えば、アクリジニウム）で標識する。第二の抗体は固相に結合していない。第二の抗体は検出抗体として知られる。抗体と抗原は以下の順で結合する：固相上の抗体−抗原−標識化抗体。固相を除去する。抗体抗原抗体サンドイッチは標識の活性化により抗原の測定を可能にし、試料中の分析物の濃度を求めるのに用いることができる。本明細書で使用される場合、「サンドイッチ型複合体」という表現は、抗体抗原抗体サンドイッチを意味する。
【００２９】
サンドイッチ型免疫アッセイフォーマットの１つの例では、抗体を含有する検査試料を、固相材料上に固定してある抗原（例えば、タンパク質）と接触させ、それにより抗原抗体複合体を形成させる。固相材料の例として、ビーズ、粒子、微小粒子などが挙げられる。抗原抗体複合体を含有する固相材料は、代表的には、例えば、検出可能部分で標識された第二の抗体で処理される。次いで、第二の抗体は、固相材料上に固定された抗原に結合した試料の抗体と結合する。次いで、１回以上の洗浄工程でどのような未結合材料も除去した後、インジケーター物質（発色基質など）を導入して検出可能部分と反応させ、検出可能な信号（例えば、変色）を発生させる。次いで、変色を検出、測定、および相関させて、検査試料に存在する抗体量とする。微小粒子、抗原、接合体、および化学反応に参加するアッセイのその他の構成要素の操作を最適化するために様々な希釈剤および緩衝液も必要であることにも留意すべきである。他の型のサンドイッチ型アッセイ（例えば、第一の抗体が固相材料上に固定してある。）を利用し得ることもさらに留意すべきである。
【００３０】
生体試料に低濃度で存在する分析物の濃度を求める異種性免疫アッセイは、米国特許第５，７９５，７８４号、および米国特許第５，８５６，１９４号に記載される装置で、固相材料として微小粒子を用いるサンドイッチ型免疫アッセイフォーマットで実施することができる。これらの特許は、参照により本明細書に組み込まれる。
【００３１】
ＨＩＶ抗原（例えば、ＨＩＶ−１ｐ２４抗原など）の場合、モノクローナル抗体を用いて本明細書に記載される免疫アッセイを実行することが好ましい。例えば、モノクローナル抗体１２０Ａ−２７０および１１５Ｂ−１５１を、それぞれ固相捕獲抗体の構成要素として、および検出抗体接合体として用いて、市販されている自動免疫アッセイ分析機に用いるためのＨＩＶ−１ｐ２４抗原用超高感度免疫アッセイを開発することができる。これらのモノクローナル抗体は、米国特許第６，８１８，３９２号にさらに詳細に記載され、参照により本明細書に組み込まれる。モノクローナル抗体は、代表的には、これらの結合親和性の高さ（例えば、５×１０９リットル／モルより高い。）、サンドイッチ型アッセイ用構成要素間の適合性、および試験する抗原の全てのサブタイプの検出に基づいて選択される。上記のＨＩＶ−１ｐ２４抗原用モノクローナル抗体を用いて、ＨＩＶ−１ｐ２４抗原およびＨＩＶ−２ｐ２６抗原の全てのサブタイプを求めることができる。
【００３２】
約０．２ｐｇ／ｍＬよりも低い濃度で存在する抗原について免疫アッセイを実行する前に、本明細書に記載される方法は、処理技術を利用して、市販されている自動免疫アッセイ分析機で用いる生体試料を調製する。そうした処理技術は、ＫｉｎｇＦｉｓｈｅｒ（商標）ｍＬ磁気粒子プロセッサまたはＫｉｎｇＦｉｓｈｅｒ（商標）磁気粒子プロセッサ（両方とも、Ｔｈｅｒｍｏ  Ｆｉｓｈｅｒ  Ｓｃｉｅｎｔｉｆｉｃ，Ｉｎｃ．（Ｗａｌｔｈａｍ，ＭＡ）から市販されている。）で実行することができる。
【００３３】
ここで図１および図２を参照すると、ＫｉｎｇＦｉｓｈｅｒ（商標）ｍＬ磁気粒子プロセッサ１０を用いて、管の列の各管に磁気粒子を自動移送および処理することができる。以下の記載において、管実施形態の各管は、濃縮技術を例示するのに用いられる。ＫｉｎｇＦｉｓｈｅｒ（商標）ｍＬ磁気粒子プロセッサ１０の原理は、（ａ）使い捨てチップコーム１４で覆うことができる磁気ロッド１２ａ、１２ｂ、１２ｃ、１２ｄ、および１２ｅと、（ｂ）管の列１６との使用に基づく。チップコーム１４は、磁気ロッドを覆うための複数の非磁性材料製さや１４ａ、１４ｂ、１４ｃ、１４ｄ、および１４ｅを連結する非磁性材料製の列を含む。管の列１６は、一列に並んだ複数の管１６ａ、１６ｂ、１６ｃ、１６ｄ、および１６ｅである。ＫｉｎｇＦｉｓｈｅｒ（商標）ｍＬ磁気粒子プロセッサ１０は、どのような吸引デバイスおよび／または分配デバイスも用いずに機能することができる。ＫｉｎｇＦｉｓｈｅｒ（商標）ｍＬ磁気粒子プロセッサ１０は、最大で１５本の管の列１６用に設計されており、管の列１６はチップコーム１４と適合している。管の列１６は、動かないように維持されており、唯一動かせる組立部は、チップコーム１４ならびにこれに付随する磁気ロッド１２ａ、１２ｂ、１２ｃ、１２ｄ、および１２ｅに沿った、処理ヘッド１８である。処理ヘッド１８は、２つの垂直に動くプラットフォーム２０、２２を含む。１つのプラットフォーム２０は、磁気ロッド１２ａ、１２ｂ、１２ｃ、１２ｄ、および１２ｅ用に必要であり、もう一方のプラットフォーム２２は、チップコーム１４用に必要である。トレイ２４は１５本の別々の管の列１６を含み、１回の試料処理は、代表的には、５本の管１６ａ、１６ｂ、１６ｃ、１６ｄ、および１６ｅを含む管の列１６を１本使用する。５つのチップ１４ａ、１４ｂ、１４ｃ、１４ｄ、および１４ｅを含む１つのチップコーム１４は、１回で５つの試料を処理するために用いる。
【００３４】
キーパッド（図示せず）およびディスプレイ（図示せず）を介した磁気粒子処理の開始前に、試料および試薬を管１６ａ、１６ｂ、１６ｃ、１６ｄ、および１６ｅに分配して、チップコーム１４を各穴に導入する。管の列１６を、取り出し可能なトレイに正しい場所で設置して、トレイを奥の位置まで押し込む。操作中、正面および上部の蓋は閉じていても開いていてもよい。蓋を閉じると処理が環境による混入から保護される。ＫｉｎｇＦｉｓｈｅｒ（商標）ｍＬ磁気粒子プロセッサは、ＫｉｎｇＦｉｓｈｅｒ（商標）ｍＬ取扱説明書、改訂版１．０、２００２年２月、カタログ番号第１５０８２６０号に詳細に記載され、参照により本明細書に組み込まれる。
【００３５】
ＫｉｎｇＦｉｓｈｅｒ（商標）磁気粒子プロセッサは、マイクロウェルに適した量の液体で磁気粒子の自動移送と処理を行うように設計されている。これは、もっと量の多い液体を用いるＫｉｎｇＦｉｓｈｅｒ（商標）ｍＬ磁気粒子プロセッサとは対照的である。ＫｉｎｇＦｉｓｈｅｒ（商標）磁気粒子プロセッサは、ＫｉｎｇＦｉｓｈｅｒ（商標）マイクロウェル取扱説明書、改訂版１．０、１９９９−０４−０９、カタログ番号第１５０７７３０号に詳細に記載され、参照により本明細書に組み込まれる。
【００３６】
ここで図３、図４、および図５を参照すると、ＫｉｎｇＦｉｓｈｅｒ（商標）磁気粒子プロセッサ１１０を用いて、マイクロウェルプレートの各ウェルに磁気粒子を自動移送および処理することができる。ＫｉｎｇＦｉｓｈｅｒ（商標）磁気粒子プロセッサ１１０の原理は、使い捨てチップコーム１１４で覆うことができる磁気ロッド１１２ａ、１１２ｂ、１１２ｃ、１１２ｄ、１１２ｅ、１１２ｆ、１１２ｇ、１１２ｈとウェルの列１１６との使用に基づく。磁気ロッド１１２ａのみを示す。その他の磁気ロッドは磁気ロッド１１２ａで隠れている。チップコーム１１４は、磁気ロッドを覆うための複数の非磁性材料製さやを連結する非磁性材料の列を含む。ウェルの列１１６は、一列に並んだ複数のマイクロウェルである。ＫｉｎｇＦｉｓｈｅｒ（商標）磁気粒子プロセッサ１１０は、どのような吸引デバイスおよび／または分配デバイスも用いずに機能することができる。ＫｉｎｇＦｉｓｈｅｒ（商標）磁気粒子プロセッサ１１０は、最大で９６のマイクロウェル用に設計されており、マイクロウェルはチップコーム１４と適合している。マイクロウェルは、動かないように維持されており、唯一動かせる組立部は、チップコーム１１４およびこれに付随する磁気ロッド１１２に沿った、処理ヘッド１１８である。処理ヘッド１１８は、２つの垂直に動くプラットフォーム１２０、１２２を含む。１つのプラットフォーム１２０は、磁気ロッド１１２用に必要であり、もう一方のプラットフォーム１２２はチップコーム１１４用に必要である。トレイ１２４はマイクロウェルプレート１枚を含み、１回の試料処理は、代表的には、８つのマイクロウェル１１６ａ、１１６ｂ、１１６ｃ、１１６ｄ、１１６ｅ、１１６ｆ、１１６ｇ、および１１６ｈを含むウェルの列１１６を１つ使用する。１２のチップ１１４ａ、１１４ｂ、１１４ｃ、１１４ｄ、１１４ｅ、１１４ｆ、１１４ｇ、１１４ｈ、１１４ｉ、１１４ｊ、１１４ｋ、および１１４ｌを含む１つのチップコーム１１４は、１回で１２個の試料を処理するために用いる。
【００３７】
キーパッド（図示せず）およびディスプレイ（図示せず）を介した磁気粒子処理の開始前に、試料および試薬をマイクロウェル１１６ａ、１１６ｂ、１１６ｃ、１１６ｄ、１１６ｅ、１１６ｆ、１１６ｇ、および１１６ｈに分配して、チップコーム１１４を各穴に導入する。ウェルの列１１６を、取り出し可能なトレイに正しい場所で設置して、トレイを奥の位置まで押し込む。操作中、正面および上部の蓋は閉じていても開いていてもよい。蓋を閉じると処理が環境による混入から保護される。
【００３８】
上記のＫｉｎｇＦｉｓｈｅｒ（商標）装置のいずれを用いるかに関らず、用いる操作原理は、一般にＭＰＰと示す逆磁気粒子処理技術である。液体を１つのウェルから別のウェルに移すのではなく、磁気粒子を管１６ａ（またはマイクロウェル１１６ａから）から管１６ｂ（またはマイクロウェル１１６ｂへ）へ移し、少なくとも１本の管（マイクロウェル）は特定の試薬を含有する。この原理は、外部磁石法、即ち米国特許第５，７９５，７８４号および米国特許第５，８５６，１９４号に示される装置で用いる分離の種類とは対照的である。逆磁気粒子処理技術に従って、特別設計した使い捨てプラスチックチップコームで覆われた磁気ロッドを用いて磁気粒子を移送する。
【００３９】
磁気粒子を用いた作業は、５つの個別の処理工程に分けることができる。
【００４０】
粒子を集める：この工程では、指定のウェルまたは管から磁気粒子を集める。
【００４１】
粒子を結合させる：この工程では、指定のウェルまたは管の試薬から磁気粒子上に材料を集める。
【００４２】
粒子を混合する：この工程では、指定のウェルまたは管中、試薬と粒子（挿入されてる場合）、をプラスチックチップで混合する。
【００４３】
粒子を放出する：この工程では、集めた物質を磁気粒子表面から指定のウェルまたは管中に放出する。
【００４４】
粒子を洗う：この工程では、指定のウェルまたは管中、磁気粒子を洗う。
【００４５】
磁気粒子を集める間、磁気ロッドは完全にチップの内側にある。磁気ロッドはチップコームと一緒に、ゆっくりと管内を上下し、磁気粒子はチップ壁上に集められる。磁気ロッドはチップコームと一緒に、集めた磁気粒子をくっつけたまま、管から出して次の管に移送することができる。磁気粒子を集めた後、磁気ロッドはチップコームと一緒に、管から引き上げられ、磁気ロッドは引き上げて抜きながらチップコームを下げて試薬を含有する次の管に入れる。全ての磁気粒子が次の反応の物質と混ざり合うまでチップコームを相当速い速度で数回上下させることにより磁気粒子を放出する。磁気粒子の洗浄は、頻繁で重要な処理相である。洗浄は、洗浄液で満たした管内での放出プロセスと収集プロセスの組合せである。洗浄効率を最大にするため、磁気ロッドはチップコームと一緒に、最小限の液体保有性を有するように設計される。長時間行う反応で磁気粒子懸濁液が均一に混ざった状態を維持するため、時々、チップコームを上下させることができる。最初の管の容量は、次の管の容量よりも大きいことが可能であり、これは濃縮プロセス用に用いられる。
【００４６】
図６Ａ、図６Ｂ、図６Ｃ、図６Ｄ、図６Ｅ、および図６Ｆは、ＫｉｎｇＦｉｓｈｅｒ（商標）ｍＬ磁気粒子プロセッサで、管から磁気粒子を集め、移送し、放出するのに用いられる工程の順序を示す。図７Ａ、図７Ｂ、図７Ｃ、図７Ｄ、図７Ｅ、および図７Ｆは、ＫｉｎｇＦｉｓｈｅｒ（商標）磁気粒子プロセッサで、マイクロウェルから磁気粒子を集め、移送し、放出するのに用いられる工程の順序を示す。
【００４７】
本明細書に記載される方法は、個体の血清または血漿の検査についてのＦＤＡ基準である、少なくとも５，０００ＲＮＡコピー／ｍＬというレベルと少なくとも同等なレベルで、免疫アッセイを用いて分析物を検出することを可能にする。Ｇｕｉｄａｎｃｅ  ｆｏｒ  Ｉｎｄｕｓｔｒｙ  Ｉｎ  ｔｈｅ  Ｍａｎｕｆａｃｔｕｒｅ  ａｎｄ  Ｃｌｉｎｉｃａｌ  ｅｖａｌｕａｔｉｏｎ  ｉｆ  Ｉｎ  Ｖｉｔｒｏ  Ｔｅｓｔｓ  ｔｏ  Ｄｅｔｅｃｔ  Ｎｕｃｌｅｉｃ  Ａｃｉｄ  Ｓｅｑｕｅｎｃｅｓ  ｏｆ  Ｈｕｍａｎ  Ｉｍｍｕｎｏｄｅｆｉｃｉｅｎｃｙ  Ｖｉｒｕｓｅｓ  Ｔｙｐｅｓ  １  ａｎｄ  ２，Ｕ．  Ｓ．  Ｄｅｐａｒｔｍｅｎｔ  ｏｆ  Ｈｅａｌｔｈ  ａｎｄ  Ｈｕｍａｎ  Ｓｅｒｖｉｃｅｓ，Ｆｏｏｄ  ａｎｄ  Ｄｒｕｇ  Ａｓｍｉｎｉｓｔｒａｔｉｏｎ，Ｃｅｎｔｅｒ  ｆｏｒ  Ｂｉｏｌｏｇｉｅｓ  Ｅｖａｌｕａｔｉｏｎ  ａｎｄ  Ｒｅｓｅａｒｃｈ（ＣＢＥＲ），Ｄｅｃｅｍｂｅｒ  １９９９を参照。また、本明細書に記載される方法は、貯蔵した血清または血漿の検査についてのＦＤＡ基準である、少なくとも１００ＲＮＡコピー／ｍＬというレベルと同等なレベルで、免疫アッセイを用いて分析物を検出することを可能にする。Ｇｕｉｄａｎｃｅ  ｆｏｒ  Ｉｎｄｕｓｔｒｙ  Ｉｎ  ｔｈｅ  Ｍａｎｕｆａｃｔｕｒｅ  ａｎｄ  Ｃｌｉｎｉｃａｌ  ｅｖａｌｕａｔｉｏｎ  ｉｆ  Ｉｎ  Ｖｉｔｒｏ  Ｔｅｓｔｓ  ｔｏ  Ｄｅｔｅｃｔ  Ｎｕｃｌｅｉｃ  Ａｃｉｄ  Ｓｅｑｕｅｎｃｅｓ  ｏｆ  Ｈｕｍａｎ  Ｉｍｍｕｎｏｄｅｆｉｃｉｅｎｃｙ  Ｖｉｒｕｓｅｓ  Ｔｙｐｅｓ  １  ａｎｄ  ２，Ｕ．Ｓ．Ｄｅｐａｒｔｍｅｎｔ  ｏｆ  Ｈｅａｌｔｈ  ａｎｄ  ｈｕｍａｎ  Ｓｅｒｖｉｃｅｓ，Ｆｏｏｄ  ａｎｄ  Ｄｒｕｇ  Ａｄｍｉｎｉｓｔｒａｔｉｏｎ，Ｃｅｎｔｅｒ  ｆｏｒ  Ｂｉｏｌｏｇｉｅｓ  Ｅｖａｌｕａｔｉｏｎ  ａｎｄ  Ｒｅｓｅａｒｃｈ（ＣＢＥＲ），Ｄｅｃｅｍｂｅｒ  １９９９を参照。このような特性は、ＲＮＡのかわりにＨＩＶ−１ｐ２４抗原を検出対象として用いる場合に、ＦＤＡの感度基準に匹敵またはこれを凌ぐものである。表Ｉに、ＨＩＶ用核酸検査と、ＰＲＩＳＭ（登録商標）分析機（Ａｂｂｏｔｔ  Ｌａｂｏｒａｔｏｒｉｅｓ（Ａｂｂｏｔｔ  Ｐａｒｋ，Ｉｌｌｉｎｏｉｓ）から販売）を用いたＨＩＶ−１ｐ２４抗原検査、および本明細書に記載される方法を用いたＨＩＶ−１ｐ２４抗原検査について特徴をまとめる。
【００４８】
【表１】
2011501194.tif 000003
【実施例】
【００４９】
実施例
以下の実施例において、「ＳＰＳＰ−Ａｃｒ−１１５Ｂ−１５１−４２３」という用語は、抗−ＨＩＶ−１ｐ２４モノクローナル抗体１１５Ｂ−１５１−４２３とＮ１０−（３−スルホプロピル）−Ｎ−（３−スルホプロピル）−アクリジニウム−９−カルボキサミドとを含む接合体を意味する。モノクローナル抗体１１５Ｂ−１５１−４２３は、ＨＩＶ−１ｐ２４抗原に特異的なモノクローナル抗体である。「ＣＰＳＰ−Ａｃｒ−１１５Ｂ−１５１−４２３」という用語は、抗−ＨＩＶ−１ｐ２４モノクローナル抗体１１５Ｂ−１５１−４２３とＮ１０−（３−スルホプロピル）−Ｎ−（３−カルボキシプロピル）−アクリジニウム−９−カルボキサミドとを含む接合体を意味する。「抗−ＨＩＶ−１ｐ２４モノクローナル抗体１２０Ａ−２７０−１０６８」という用語は、ＨＩＶ−１ｐ２４抗原に特異的なモノクローナル抗体を意味する。「抗−ＨＩＶ−１ｐ２４モノクローナル抗体１０８−３９４−４７０」という用語は、ＨＩＶ−１ｐ２４抗原に特異的なモノクローナル抗体を意味する。
【００５０】
以下の実施例において、ＡＲＣＨＩＴＥＣＴ（登録商標）およびＰＲＩＳＭ（登録商標）の商標を有する製品は、Ａｂｂｏｔｔ  Ｌａｂｏｒａｔｏｒｉｅｓ（Ａｂｂｏｔｔ  Ｐａｒｋ，Ｉｌｌｉｎｏｉｓ）が販売している。
【００５１】
以下の調製例は、抗ＨＩＶ−１ｐ２４モノクローナル抗体１２０Ａ−２７０−１０６８含有磁気粒子の調製、および抗ＨＩＶ−１ｐ２４モノクローナル抗体１１５Ｂ−１５１−４２３とアクリジニウム標識とを含む接合体の調製を例示する。
【００５２】
調製Ａ
以下の材料を用いて、抗ＨＩＶ−１ｐ２４モノクローナル抗体１２０Ａ−２７０−１０６８含有磁気粒子を調製した。
１．磁気微小粒子（磁気ＣＭＬアゾ吉草酸、４．７マイクロメートル、固体濃度５．１％、Ｐｏｌｙｍｅｒ  Ｓｃｉｅｎｃｅ）
２．抗ＨＩＶ−１ｐ２４モノクローナル抗体１２０Ａ−２７０−１０６８（３．４ｍｇ／ｍＬ）
３．被覆緩衝液（ＭＥＳ緩衝液、５０ｍＭ、ｐＨ６．１、０．２マイクロメートルフィルター処理）
４．ＥＤＡＣ（５０ｍＭＭＥＳ緩衝液中２．５ｍｇ／ｍＬ、ｐＨ６．１）
５．スルホ−ＮＨＳ（５０ｍＭＭＥＳ緩衝液中２．５ｍｇ／ｍＬ、ｐＨ６．１、分子量２１７．１４、Ｐｉｅｒｃｅ  Ｃｈｅｍｉｃａｌ）
６．リン酸緩衝食塩水（１０ｍＭホスフェート緩衝液、０．１５Ｍ塩化ナトリウムを加えてｐＨ７．２）
７．上塗り緩衝液（０．１Ｍ  Ｔｒｉｓ緩衝液＋１％ウシ血清アルブミン、ｐＨ７．２）
８．ポリエチレングリコール（分子量８０００、１０％ｗ／ｖの蒸留水液）
【００５３】
以下の方法を用いて、２工程の方法で磁気微小粒子（２５ｍＬ、固体濃度１％）を抗ＨＩＶ−１ｐ２４モノクローナル抗体１２０Ａ−２７０−１０６８（１００μｇ／ｍＬ）で被覆した。ＥＤＡＣ（０．１ｍｇ／ｍＬ濃度）およびスルホ−ＮＨＳ（０．１ｍｇ／ｍＬ濃度）を用いて、ポリプロピレン管（５０ｍＬ）中で磁気微小粒子を前もって活性化した。方法で用いた材料は上記にまとめてある。
１．ＭＥＳ緩衝液（２０．１ｍＬ）をポリプロピレン管（５０ｍＬ）に加えた。
２．磁気微小粒子（４．９ｍＬ）を管に加えて微小粒子含有溶液とした（２５ｍＬ、固体濃度１％）。
３．管をこの軸で回転させて微小粒子を洗った。
４．微小粒子を、３３００ｒｐｍで１０分間、遠沈して、上清液を吸引した。
５．微小粒子にＭＥＳ緩衝液（２５ｍＬ）を加えて再懸濁させることによる洗浄を２回以上行い、微小粒子を３３００ｒｐｍで１０分間、遠沈して、上清液を吸引した。
６．微小粒子をＭＥＳ緩衝液（２３ｍＬ）に再懸濁させた。
７．ＥＤＡＣ（１ｍＬ）およびスルホ−ＮＨＳ（１ｍＬ）を管に加えて室温で３０分間かけて微小粒子を前もって活性化した。転倒型回転器（Ｒｏｔｏ−Ｔｏｒｑｕｅ（Ｃｏｌｅ  Ｐａｒｍｅｒ）、高速に設定し、１から１０の範囲の速度ダイヤルを「６」に合わせた。）で、混合を行った。
８．微小粒子を、３３００ｒｐｍで１０分間、遠沈して、上清液を吸引した。
９．ＭＥＳ緩衝液（２５ｍＬ）を加えて微小粒子を１回洗い、微小粒子を、３３００ｒｐｍで１０分間、遠沈して、上清液を吸引した。
１０．抗ＨＩＶ−１ｐ２４モノクローナル抗体１２０Ａ−２７０−１０６８（濃度１００μｇ／ｍＬで２５ｍＬ）を、前もって活性化した微小粒子を含有するペレットに加えた。
１１．管を転倒型回転器（Ｒｏｔｏ−Ｔｏｒｑｕｅ（Ｃｏｌｅ  Ｐａｒｍｅｒ）、高速に設定し、１から１０の範囲の速度ダイヤルを「６」に合わせた。）に設置し、室温で９０分間回転させた。
１２．微小粒子を、３３００ｒｐｍで１０分間、遠沈して、上清液を吸引した。
１３．リン酸緩衝食塩水（２５ｍＬ）を加えて微小粒子を洗い、微小粒子を再懸濁させた。微小粒子を３３００ｒｐｍで１０分間、遠沈して、上清液を吸引した。この洗浄工程を３回行った。洗浄工程ごとに、リン酸緩衝食塩水２５ｍＬを用いた。
１４．上塗り緩衝液（２２．５ｍＬ）およびポリエチレングリコール（２．５ｍＬ、１０％ポリエチレングリコール溶液）を微小粒子に加えた。
１５．管を転倒型回転器（Ｒｏｔｏ−Ｔｏｒｑｕｅ（Ｃｏｌｅ  Ｐａｒｍｅｒ）、高速に設定し、１から１０の範囲の速度ダイヤルを「５」に合わせた。）で、室温で１６時間回転させた。
１６．微小粒子を、３３００ｒｐｍで１０分間、遠沈して、上清液を吸引した。
１７．上塗り緩衝液（２２．５ｍＬ）およびポリエチレングリコール（２．５ｍＬ、１０％ポリエチレングリコール溶液）を加えて微小粒子を再懸濁させた。
１８．抗ＨＩＶ−１ｐ２４モノクローナル抗体１２０Ａ−２７０−１０６８で被覆された微小粒子を４℃で貯蔵した。
【００５４】
上記と実質的に同様な方法を用いて、作業例で用いた他のモノクローナル抗体を調製した。例えば、作業例で用いた別の抗体は、抗ＨＩＶ−１ｐ２４モノクローナル抗体１０８−３９４−４７０であった。
【００５５】
調製Ｂ
以下の材料を用いて、抗ＨＩＶ−１ｐ２４モノクローナル抗体１１５Ｂ−１５１−４２３とアクリジニウム標識とを含むＳＰＳＰ−Ａｃｒ−１１５Ｂ−１５１−４２３接合体を調製した。
１．抗ＨＩＶ−１ｐ２４モノクローナル抗体１１５Ｂ−１５１−４２３の貯蔵液（１０ｍＭリン酸緩衝食塩水中９．７ｍｇ／ｍＬ、ｐＨ７．２５）
２．Ｎ１０−（３−スルホプロピル）−Ｎ−（３−スルホプロピル）−アクリジニウム−９−カルボキサミド由来のペンタフルオロフェニルエステルのジメチルホルムアミド（ジメチルホルムアミド溶媒中活性エステル４６．６ｍＭ）
３．ＨＰＬＣ純度の水
４．緩衝液、ｐＨ４．０
５．緩衝液、ｐＨ７．０
６．緩衝液、ｐＨ１０．０
７．ＮａＣＩ（１．０Ｍ）
８．ＮａＯＨ（１．０Ｎ）
９．ＮａＯＨ（６．０Ｎ）
１０．Ｎａ２ＨＰＯ４・７Ｈ２Ｏ
１１．ＮａＨ２ＰＯ４・Ｈ２Ｏ
１２．ＮａＣＩ
１３．３−［（３−コラミドプロピル）−ジメチルアンモニオ］−１−プロパンスルホナート（ＣＨＡＰＳ）
１４．ＣＨＡＰＳ（リン酸緩衝食塩水中０．１％ＣＨＡＰＳ、ｐＨ６．３）
１５．リン酸ナトリウム緩衝液（０．１Ｍ、１５０ｍＭ  ＮａＣＩ、ｐＨ８．０）
１６．リン酸ナトリウム緩衝液（１Ｍ、１５０ｍＭ  ＮａＣＩ、ｐＨ８．０）
【００５６】
Ｎ１０−（３−スルホプロピル）−Ｎ−（３−スルホプロピル）−アクリジニウム−９−カルボキサミド由来のペンタフルオロフェニルエステルを構造１に示す。
【００５７】
【化１】
2011501194.tif 000004
【００５８】
以下の方法を用いて、抗ＨＩＶ−１ｐ２４モノクローナル抗体１１５Ｂ−１５１−４２３およびアクリジニウム標識を含有する接合体を調製した。方法で用いた材料は上記にまとめる。
１．抗ＨＩＶ−１ｐ２４モノクローナル抗体１１５Ｂ−１５１−４２３貯蔵液に、リン酸ナトリウム緩衝液（０．１０ｍＬ、１Ｍ）、およびＮａＣＩ（１５０ｍＭ、ｐＨ８．０）を加えた。得られた混合物をＭｉｌｌｅｘ−ＧＶフィルター（０．２２μｍ）を用いて濾過した。ＮａＯＨ（約２０μＬ、０．１Ｎ）で最終ｐＨを８．０に調整した。抗体（２０μＬ）をリン酸緩衝食塩水（４８０μＬ、１００ｍＭ、ｐＨ８．０緩衝液）で希釈した。２８０ｎｍの吸光度を測定して抗体濃度を求めた。リン酸緩衝食塩水（１００ｍＭ、ｐＨ８．０緩衝液）をブランクとして用いた。測定のため、抗体貯蔵液の濃度を２５倍に希釈（即ち、２０μＬ／５００μＬ）した。抗ＨＩＶ−１ｐ２４モノクローナル抗体１１５Ｂ−１５１−４２３貯蔵液濃度は９．０ｍｇ／ｍＬであった。
２．ポリプロピレンマイクロ遠心管（１．５ｍＬ）４本それぞれに、抗ＨＩＶ−１ｐ２４モノクローナル抗体１１５Ｂ−１５１−４２３貯蔵液（０．２２２ｍＬ、２．０ｍｇ）、リン酸ナトリウム（０．１７８ｍＬ、１００ｍＭ）、ＮａＣＩ（１５０ｍＭ）、接合緩衝液（ｐＨ８．０）を加えて、溶液（５ｍｇ／ｍＬ）とした。回転子（１インチ×５／１６インチ）を毎分８００回転させて溶液を撹拌した。次いで、Ｎ１０−（３−スルホプロピル）−Ｎ−（３−スルホプロピル）−アクリジニウム−９−カルボキサミド由来のペンタフルオロフェニルエステル（４０ｍｇ／ｍＬ貯蔵液）を、溶液を撹拌しながら加えた。暗中で３時間、周辺温度で反応を進行させた。
【００５９】
以下の表は、接合体を調製するのに用いた材料の量を示す。
【００６０】
【表２】
2011501194.tif 000005
【００６１】
３．ＨＰＬＣ純度の水（４．０Ｌ）に、リン酸二ナトリウム（１０．３ｇ）、リン酸一ナトリウム（０．２６８ｇ）、塩化ナトリウム（３５．１ｇ）、およびＣＨＡＰＳ（４ｇ、ｐＨ８．０）を加えて、透析緩衝液を調製した。ｐＨは８．０であった。
４．接合反応後、Ｐｒｅｃｉｓｉｏｎ  Ｇｌｉｄｅ  １８Ｇ１シリンジ針を取り付けた１ｃｃツベルクリンシリンジ（Ｂ−Ｄ  Ｒｅｃ．Ｎｏ．３０９６０２、Ｌｏｔ  Ｎｏ．２１２４２６９）でそれぞれの接合体を直ちにＳｌｉｄｅ−Ａ−Ｌｙｚｅｒ１０Ｋ透析カセット（０．５から３．０ｍＬ）に注入した。４つのカセットを全て透析緩衝液（１．６Ｌ）を入れたビーカーに入れた。毎分３５０回転の撹拌速度で、周辺温度で透析を行った。透析を１．０時間行った後、さらに２時間透析を繰り返したが、毎回新しいリン酸緩衝食塩水（１０ｍＭ、ｐＨ８．０緩衝液）を用い、それから新しいＣＨＡＰＳ（０．１％）／リン酸緩衝食塩水（１０ｍＭ）ｐＨ８．０で一晩透析した。
５．ＨＰＬＣ精製手順に用いたＨＰＬＣ精製緩衝液はＣＨＡＰＳ（０．１％）／１０ｍＭリン酸緩衝食塩水（ｐＨ６．３）であった。それぞれの接合体をＴｏｓｏＨａａｓ  Ｇ３０００ＳＷカラム（２１．５ｍｍ×６０ｃｍ）に一回で注入した。接合体は、ＨＰＬＣ精製緩衝液を用いて、流速５．０ｍＬ／ｍｉｎで６０分間、溶出させた。１８分の時点から３０分の時点の画分を集めたが、それぞれの画分は３０秒間隔で集めた。１０番目から２０番目まで（これらも含める。）の画分を一つにした。
【００６２】
以下の表は、接合体に組み込まれたアクリジニウムの量を示す。
【００６３】
【表３】
2011501194.tif 000006
【００６４】
免疫アッセイで用いる接合体のアクリジニウム対抗体比が高くなるほど、発生する化学発光信号も強くなり、従って達成されるアッセイ感度も高くなる。
【００６５】
上記と実質的に同様な方法を用いて、作業例で用いた他の接合体を調製した。Ｎ１０−（３−スルホプロピル）−Ｎ−（３−カルボキシプロピル）−アクリジニウム−９−カルボキサミド由来のスクシンイミドエステルを用いて、幾つかの作業例で用いられるＣＰＳＰ−Ａｃｒ−１１５Ｂ−１５１−４２３接合体を調製することができる（構造２を参照）。
【００６６】
【化２】
2011501194.tif 000007
【００６７】
以下の非限定的な作業例は、本明細書に記載される方法の様々な実施形態がどのように実行され得るかを例示する。
【００６８】
（実施例１）
この実施例は、ＣＰＳＰ−Ａｃｒ−１１５Ｂ−１５１−４２３接合体と抗ＨＩＶ−１ｐ２４モノクローナル抗体１０８−３９４−４７０で被覆した磁気粒子とを用いて磁気粒子処理により検査した場合に、１ｐｇ／ｍＬ未満のＨＩＶ−１ｐ２４抗原濃度（０．２ｐｇ／ｍＬおよび０．５ｐｇ／ｍＬ）を有する比較的量の多い試料（１ｍＬ）がどのようにして２ｐｇ／ｍＬ濃度および５ｐｇ／ｍＬ濃度を有する比較的量の少ない試料（０．１ｍＬ）で生じる信号と同様な信号を発生させ得るかを例示する。
【００６９】
この実施例では、以下の材料を用いた。
１．抗ＨＩＶ−１ｐ２４モノクローナル抗体１０８−３９４−４７０で被覆した磁気微小粒子。磁気微小粒子は微小粒子希釈剤で固体濃度０．２％に希釈した。
２．ＣＰＳＰ−Ａｃｒ−１１５Ｂ−１５１−４２３接合体
３．ＰＲＩＳＭ（登録商標）ＨＩＶＡＧ移送洗浄緩衝液
４．ＰＲＩＳＭ（登録商標）ＨＩＶＡＧ接合体洗浄緩衝液
５．陰性対照としての正常ヒト血漿
６．ＨＩＶ−１ｐ２４抗原貯蔵液（５２６ｐｇ／ｍＬ）、正常ヒト血漿で希釈して濃度０．２、０．５、２、および５ｐｇ／ｍＬのＨＩＶ−１ｐ２４抗原希釈試料を作成
７．Ｎｕｎｃ−ｌｍｍｕｎｏ（商標）一列型８丸底ウェル
８．ＡＲＣＨＩＴＥＣＴ（登録商標）プレトリガー溶液
９．ＡＲＣＨＩＴＥＣＴ（登録商標）トリガー溶液
【００７０】
以下の装置を用いてこの実施例の方法を行った。
１．発光測定装置（ＥＧ＆Ｇ  Ｂｅｒｔｈｏｌｄ）
２．マイクロウェルプレート震盪機（Ｌａｂ−Ｌｉｎｅ  Ｉｎｓｔｒｕｍｅｎｔｓ）
３．磁気マイクロウェルプレート分離器
４．真空機に接続した８ウェルマイクロウェルプレート吸引ヘッド
５．複数ウェルピペット
６．Ｃｌａｙ  Ａｄａｍｓ  Ｂｒａｎｄ  Ｎｕｔａｔｏｒ  Ｒｏｔａｔｏｒ
【００７１】
以下の方法を用いてアッセイを行った。
１．ピペットを用いて、抗ＨＩＶ−１ｐ２４モノクローナル抗体１０８−３９４−４７０で被覆した磁気微小粒子（２０μＬ、固体濃度０．２％）を、０．１ｍＬの試料検査用マイクロウェルプレートのマイクロウェルに導入した。ピペットを用いて、抗ＨＩＶ−１ｐ２４モノクローナル抗体１０８−３９４−４７０で被覆した磁気微小粒子（２０μＬ、固体濃度０．２％）を、０．１ｍＬの試料検査用試験管（１２×７５ｍｍ、５ｍＬポリプロピレン管）に導入した。
２．ピペットを用いて、ＨＩＶ−１ｐ２４抗原を濃度２ｐｇ／ｍＬおよび５ｐｇ／ｍＬで含有する試料（０．１ｍＬ）をマイクロウェルプレートの各マイクロウェルにそれぞれ２つ組で導入した。毎回新しいピペットチップを用いた。ＨＩＶ−１ｐ２４抗原を濃度０．２ｐｇ／ｍＬおよび０．５ｐｇ／ｍＬで含有する試料（１ｍＬ）を各試験管にそれぞれ２つ組で導入した。試験管を試験管立てに設置した。
３．マイクロウェルプレートおよび試験管立ての試験管の内容物を、室温で１時間、マイクロウェルプレート震盪機上で温置した。
４．透明な液体が見られるまで２分間マイクロウェルプレートをＮｕｔａｔｏｒ  Ｒｏｔａｔｏｒに乗せた磁気マイクロウェルプレート分離機に置いた。捕獲された微小粒子をかく乱しないようにしながら８ウェル吸引ヘッドで液体をマイクロウェルから除去した。透明な液体が見られるまで２分間試験管を磁気分離機に置いた。捕獲された微小粒子をかく乱しないようにしながら吸引ヘッドで液体を試験管から手作業で除去した。
５．多連ピペットを用いて、マイクロウェルプレートの各マイクロウェルに移送洗浄緩衝液（１００μＬ）を入れた。ピペットを用いて各試験管に移送洗浄緩衝液（１００μＬ）を入れた。
６．マイクロウェルプレートおよび試験管立ての試験管をマイクロウェルプレート震盪機に１分間置いて、磁気微小粒子を分散させて非特異的に結合した物質を洗い落とした。
７．工程４、５、および６を３回繰り返して非特異的に結合した物質を洗い除去した。
８．最後の洗浄工程後、ＣＰＳＰ−Ａｃｒ−１１５Ｂ−１５１−４２３接合体（５０μＬ、６０ｎｇ／ｍＬ）をマイクロウェルプレートの各マイクロウェルおよび各試験管に導入した。マイクロウェルプレートおよび試験管立ての試験管の内容物を室温で１時間、プレート震盪機上で温置した。
９．工程４、５、６、および７を３回繰り返して結合していないＣＰＳＰ−Ａｃｒ−１１５Ｂ−１５１−４２３接合体を接合体洗浄緩衝液で洗い除去した。
１０．３回目の洗浄の後、磁気微小粒子含有液をマイクロウェルプレートの各マイクロウェルから白色平底型Ｄｙｎｅｘ  ｍｉｃｒｏｌｉｔｅ２プレートの各マイクロウェルへ移送し、透明な液体が見られるまで２分間プレートをＮｕｔａｔｏｒ  ｒｏｔａｔｏｒに乗せた磁気マイクロウェルプレート分離機上に置いた。捕獲された微小粒子をかく乱しないようにしながら８ウェル吸引ヘッドで液体を除去した。３回目の洗浄の後、磁気微小粒子含有液を各試験管から白色平底型Ｄｙｎｅｘ  ｍｉｃｒｏｌｉｔｅ２プレートの各マイクロウェルへ移送し、透明な液体が見られるまで２分間プレートをＮｕｔａｔｏｒ  ｒｏｔａｔｏｒに乗せた磁気マイクロウェルプレート分離機上に置いた。捕獲された微小粒子をかく乱しないようにしながら８ウェル吸引ヘッドで液体を試験管から手作業で除去した。
１１．ＡＲＣＨＩＴＥＣＴ（登録商標）プレトリガー溶液（４０μＬ）をＤｙｎｅｘ  ｍｉｃｒｏｌｉｔｅ２プレートの各マイクロウェルに導入し、プレートの内容物を、室温で１０分間、マイクロウェルプレート震盪機上で温置して、ＣＰＳＰ−Ａｃｒ−１１５Ｂ−１５１−４２３接合体を磁気粒子からプレトリガー溶液中に放出した。
１２．ＡＲＣＨＩＴＥＣＴ（登録商標）トリガー溶液（１２０μＬ）をＤｙｎｅｘ  ｍｉｃｒｏｌｉｔｅ２プレートの各マイクロウェルに注入して、マイクロウェルプレート化学発光読取り機（発光測定装置）で化学発光信号を読取った。読取り結果は相対光単位（ＲＬＵ）で与えられる。
【００７２】
結果を表ＩＶに示す。
【００７３】
【表４】
2011501194.tif 000008
【００７４】
データは、試料の量が１０倍に増えると、有意の係数で信号を強め得る可能性があることを示しており、従って量の多い試料の使用がＨＩＶ−１ｐ２４抗原の免疫アッセイの感度を改善し得ることを示唆している。
【００７５】
（実施例２）
この実施例は、抗ＨＩＶ−１ｐ２４モノクローナル抗体１２０Ａ−２７０−１０６８で被覆した磁気粒子を用いてＫｉｎｇＦｉｓｈｅｒ（商標）ｍＬ磁気粒子プロセッサで試料（２ｍＬ）からＨＩＶ−１ｐ２４抗原を捕獲することによって、試料中０から１．６ｐｇ／ｍＬの範囲で含有されるＨＩＶ−１ｐ２４抗原の濃度を決定する方法を例示する。ＣＰＳＰ−Ａｃｒ−１１５Ｂ−１５１−４２３接合体を用いて標識とした。
【００７６】
この実施例では以下の材料を用いた。
１．抗ＨＩＶ−１ｐ２４モノクローナル抗体１２０Ａ−２７０−１０６８で被覆された磁気微小粒子。磁気微小粒子を微小粒子希釈剤中固体濃度０．２５％に希釈した。
２．ＣＰＳＰ−Ａｃｒ−１１５Ｂ−１５１−４２３接合体。接合体の濃度は接合体希釈剤中５０ｎｇ／ｍＬであった。接合体はフィルターディスク（０．１マイクロメートル）で濾過した。
３．微小粒子希釈剤
４．ＨＩＶ−１ｐ２４抗原貯蔵液（２７．５ｐｇ／ｍＬ）、正常ヒト血漿で希釈して抗原濃度（ａ）０．１ｐｇ／ｍＬ（ｂ）０．２ｐｇ／ｍＬ、（ｃ）（ｄ）０．４ｐｇ／ｍＬ、（ｄ）０．８ｐｇ／ｍＬ、および（ｅ）１．６ｐｇ／ｍＬのＨＩＶ−１ｐ２４抗原希釈試料シリーズを作成
５．正常ヒト血漿（陰性対照として）
６．ＡＲＣＨＩＴＥＣＴ（登録商標）プレトリガー溶液
７．ＡＲＣＨＩＴＥＣＴ（登録商標）トリガー溶液
８．ＰＲＩＳＭ（登録商標）ＨＩＶＡＧ移送洗浄緩衝液
９．検体１０倍希釈緩衝液
【００７７】
この実施例では以下のピペットを用いた。
Ｐ５０００、Ｐ１０００、Ｐ２００、Ｐ２０、Ｐ２
「Ｐ」の文字に続く数字は、このピペットにより移送可能なマイクロリットルでの最大容量である。最大容量の値が小さいほど、ピペットにより送達される量の精度を上げることができる。
【００７８】
この実施例では以下の装置を用いた。
１．ＫｉｎｇＦｉｓｈｅｒ（商標）ｍＬ磁気粒子プロセッサ
２．マイクロウェルプレート発光測定装置（ＥＧ＆Ｇ  Ｂｅｒｔｈｏｌｄ）
【００７９】
この実施例では以下の試料設定を用いた。
１．検体１０倍希釈緩衝液（０．１１ｍＬ）を、ＫｉｎｇＦｉｓｈｅｒ（商標）ｍＬ磁気粒子プロセッサの管Ａおよび管Ｂに入れた。
２．試料（１ｍＬ）を、ＫｉｎｇＦｉｓｈｅｒ（商標）ｍＬ磁気粒子プロセッサの管Ａおよび管Ｂに加えた。試料は、正常ヒト血漿または正常ヒト血漿で希釈したＨＩＶ−１ｐ２４抗原であった。
３．抗ＨＩＶ−１ｐ２４モノクローナル抗体１２０Ａ−２７０−１０６８で被覆した磁気粒子（２０μＬ）を固体濃度０．２５％に希釈して、ＫｉｎｇＦｉｓｈｅｒ（商標）ｍＬ磁気粒子プロセッサの管Ａに入れた。
４．ＣＰＳＰ−Ａｃｒ−１１５Ｂ−１５１−４２３接合体（０．１ｍＬ、５０ｎｇ／ｍＬ）をＫｉｎｇＦｉｓｈｅｒ（商標）ｍＬ磁気粒子プロセッサの管Ｃに入れた。
５．洗浄緩衝液（１ｍＬ）をＫｉｎｇＦｉｓｈｅｒ（商標）ｍＬ磁気粒子プロセッサの管Ｄに入れた。
７．ＡＲＣＨＩＴＥＣＴ（登録商標）プレトリガー溶液（６０μＬ）をＫｉｎｇＦｉｓｈｅｒ（商標）ｍＬ磁気粒子プロセッサの管Ｅに入れた。
【００８０】
以下の表は、ＨＩＶ−１ｐ２４抗原濃度を求めるためにサンドイッチ型免疫アッセイを行うための、ＫｉｎｇＦｉｓｈｅｒ（商標）ｍＬ磁気粒子プロセッサの５本の管間での材料の分布を示す。
【００８１】
【表５】
2011501194.tif 000009
【００８２】
この実施例では以下のアッセイプロトコルを用いた。
１．ＫｉｎｇＦｉｓｈｅｒ（商標）ｍＬ磁気粒子プロセッサの管Ａ中、抗ＨＩＶ−１ｐ２４モノクローナル抗体１２０Ａ−２７０−１０６８で被覆した磁気粒子を試料とともに、室温で２０分間、振盪しながら温置した。
２．ＨＩＶ−１ｐ２４抗原を捕獲した磁気粒子をＫｉｎｇＦｉｓｈｅｒ（商標）ｍＬ磁気粒子プロセッサの管Ａから管Ｂに移送し、室温で２０分間、振盪しながら温置した。
３．磁気粒子を、ＫｉｎｇＦｉｓｈｅｒ（商標）ｍＬ磁気粒子プロセッサの管Ｂから管Ｃに移送し、室温で２０分間、振盪しながら温置した。
４．磁気微小粒子を、ＫｉｎｇＦｉｓｈｅｒ（商標）ｍＬ磁気粒子プロセッサの管Ｃから管Ｂに戻し、２分間洗浄して遊離のアクリジニウム標識化接合体を除去した。
５．磁気粒子を、ＫｉｎｇＦｉｓｈｅｒ（商標）ｍＬ磁気粒子プロセッサの管Ｂから管Ｄに移送し、さらに２分間洗浄して遊離のアクリジニウム標識化接合体を除去した。
６．磁気粒子に捕獲されたＨＩＶ−１ｐ２４抗原特異的結合ＣＰＳＰ−Ａｃｒ−１１５Ｂ−１５１−４２３接合体を、ＫｉｎｇＦｉｓｈｅｒ（商標）ｍＬ磁気粒子プロセッサの管Ｅに入れたＡＲＣＨＩＴＥＣＴ（登録商標）プレトリガー溶液（６０μＬ、ｐＨ２．６）中に溶出させた。溶出後、磁気粒子を取り出して洗浄管Ｄ中に放出した。
７．プレトリガー溶液（５０μＬ）を、ＫｉｎｇＦｉｓｈｅｒ（商標）ｍＬ磁気粒子プロセッサの管Ｅから不透明マイクロウェルプレートのマイクロウェルに移送した。
８．不透明マイクロウェルプレートの各マイクロウェルにＡＲＣＨＩＴＥＣＴ（登録商標）トリガー溶液（１５０μＬ）を注入して、発光測定装置で、適切な波長で化学発光信号を読取った。
【００８３】
以下の表は上記のアッセイの結果を示す。
【００８４】
【表６】
2011501194.tif 000010
【００８５】
３を越える信号対雑音比、即ち、３を超えるＳ／Ｎは、陽性結果と陰性結果を識別することを可能にする。表ＶＩによると、０．１ｐｇ／ｍＬという低い濃度まで陽性結果と見なされる。
【００８６】
この実施例は、ＫｉｎｇＦｉｓｈｅｒ（商標）ｍＬ磁気粒子プロセッサにより行った免疫アッセイが、（ａ）量の多い試料（例えば、２ｍＬ）の使用を通じた高レベルの感度、例えば０．１ｐｇ／ｍＬのＨＩＶ−１ｐ２４抗原を検出する能力、（ｂ）非特異的に結合した接合体は管内に残し、特異的に結合したＣＰＳＰ−Ａｃｒ−１１５Ｂ−１５１−４２３接合体のみを低ｐＨ（ｐＨ２．６）プレトリガー溶液中に溶出させたことによる信号出力に対してのアッセイバックグラウンドのレベルの大幅な低化、および（ｃ）試料に存在する干渉の可能性のある要素はマイクロウェルに残し、磁気微小粒子に結合したＨＩＶ−１ｐ２４抗原のみをアッセイの手順に乗せて進むことによる高いレベルのアッセイ特異性、を提供し得ることを示す。また、非特異的に結合した接合体を、最終洗浄緩衝液で、磁気微小粒子から洗い落とす前に、試料管の試料を、接合体を含む温置する工程後の磁気微小粒子から結合していない接合体を洗い落とすのに用いることもできる。この特徴は、より量の多い試料を処理するのにより多くのマイクロウェルを取っておくことを可能にするだけではなく、洗浄緩衝液の量を少なくし生じる廃液の量を減らすことも可能にする。
【００８７】
（実施例３）
この実施例は、抗ＨＩＶ−１ｐ２４モノクローナル抗体１２０Ａ−２７０−１０６８で被覆した磁気粒子を用いてＫｉｎｇＦｉｓｈｅｒ（商標）磁気粒子プロセッサで試料（０．８９ｍＬ）からＨＩＶ−１ｐ２４抗原を捕獲することによって、試料中０から１．６ｐｇ／ｍＬの範囲で含有されるＨＩＶ−１ｐ２４抗原の濃度を決定する方法を例示する。ＣＰＳＰ−Ａｃｒ−１１５Ｂ−１５１−４２３接合体を用いて標識とした。
【００８８】
この実施例では以下の材料を用いた。
１．抗ＨＩＶ−１ｐ２４モノクローナル抗体１２０Ａ−２７０−１０６８で被覆された磁気微小粒子。磁気微小粒子を微小粒子希釈剤中固体濃度０．２５％に希釈した。
２．ＣＰＳＰ−Ａｃｒ−１１５Ｂ−１５１−４２３接合体。接合体の濃度は接合体希釈剤中５０ｎｇ／ｍＬであった。接合体はフィルターディスク（０．１マイクロメートル）で濾過した。
３．ＡＲＣＨＩＴＥＣＴ（登録商標）微小粒子希釈剤
４．ＨＩＶ−１ｐ２４抗原貯蔵液（７７ｐｇ／ｍＬ）、正常ヒト血漿で希釈して抗原濃度（ａ）０．１ｐｇ／ｍＬ、（ｂ）０．２ｐｇ／ｍＬ、（ｃ）（ｄ）０．４ｐｇ／ｍＬ、（ｄ）０．８ｐｇ／ｍＬ、および（ｅ）１．６ｐｇ／ｍＬの希釈試料シリーズを作成。
５．陰性対照として正常ヒト血漿
６．ＡＲＣＨＩＴＥＣＴ（登録商標）プレトリガー溶液
７．ＡＲＣＨＩＴＥＣＴ（登録商標）トリガー溶液
８．ＰＲＩＳＭ（登録商標）ＨＩＶＡＧ移送洗浄緩衝液
９．検体１０倍希釈緩衝液
【００８９】
この実施例では以下のピペットを用いた。
Ｐ５０００、Ｐ１０００、Ｐ２００、Ｐ２０、Ｐ２
「Ｐ」の文字に続く数字は、このピペットにより移送可能なマイクロリットルでの最大容量である。最大容量の値が小さいほど、ピペットにより送達される量の精度を上げることができる。
【００９０】
この実施例では以下の装置を用いた。
１．８個のウェルを備えたＫｉｎｇＦｉｓｈｅｒ（商標）磁気粒子プロセッサ
２．マイクロウェルプレート発光測定装置（ＥＧ＆Ｇ  Ｂｅｒｔｈｏｌｄ）
【００９１】
この実施例では以下の試料設定を用いた。
１．検体１０倍希釈緩衝液（２０μＬ）を、ＫｉｎｇＦｉｓｈｅｒ（商標）磁気粒子プロセッサのウェルＡ、Ｂ、Ｃ、Ｄ、Ｅ、およびＦに入れた。
２．ＫｉｎｇＦｉｓｈｅｒ（商標）磁気粒子プロセッサのウェルＡには試料（１７０μＬ）を加え、ウェルＢ、Ｃ、Ｄ、およびＥには試料（１８０μＬ）を加えた。試料は、正常ヒト血漿または正常ヒト血漿で希釈したＨＩＶ−１ｐ２４抗原で、２つ組で検査した。
３．抗ＨＩＶ−１ｐ２４モノクローナル抗体１２０Ａ−２７０−１０６８で被覆した磁気粒子（１０μＬ）を固体濃度０．２５％に希釈して、ＫｉｎｇＦｉｓｈｅｒ（商標）磁気粒子プロセッサのウェルＡに入れた。
４．ＣＰＳＰ−Ａｃｒ−１１５Ｂ−１５１−４２３接合体（５０μＬ、５０ｎｇ／ｍＬ）をＫｉｎｇＦｉｓｈｅｒ（商標）磁気粒子プロセッサのウェルＦに入れた。
５．洗浄緩衝液（２００μＬ）をＫｉｎｇＦｉｓｈｅｒ（商標）磁気粒子プロセッサのウェルＧに入れた。
６．ＡＲＣＨＩＴＥＣＴ（登録商標）プレトリガー溶液（６０μＬ）をＫｉｎｇＦｉｓｈｅｒ（商標）磁気粒子プロセッサのウェルＨに入れた。
【００９２】
表ＶＩＩは上記の設定を例示する。
【００９３】
【表７】
2011501194.tif 000011
【００９４】
この実施例では以下のアッセイプロトコルを用いた。
１．ＫｉｎｇＦｉｓｈｅｒ（商標）磁気粒子プロセッサのウェルＡ、Ｂ、Ｃ、Ｄ、およびＥ中、連続して、抗ＨＩＶ−１ｐ２４モノクローナル抗体１２０Ａ−２７０−１０６８で被覆した磁気粒子を試料とともに、室温で１０分間、振盪しながら温置した。
２．ＨＩＶ−１ｐ２４抗原を捕獲した磁気粒子をＫｉｎｇＦｉｓｈｅｒ（商標）磁気粒子プロセッサのウェルＥからウェルＦに移送し、室温で１０分間、振盪しながら温置した。
３．磁気粒子を、ＫｉｎｇＦｉｓｈｅｒ（商標）磁気粒子プロセッサのウェルＦからウェルＣ、Ｄ、およびＥに連続して移送し、２分間振盪しながら洗浄して結合していないアクリジニウム標識化接合体を除去した。
４．磁気微小粒子を、ＫｉｎｇＦｉｓｈｅｒ（商標）磁気粒子プロセッサのウェルＥからウェルＧに移送し、さらに２分間振盪しながら洗浄して結合していないアクリジニウム標識化接合体を除去した。
５．磁気粒子を、ＫｉｎｇＦｉｓｈｅｒ（商標）磁気粒子プロセッサのウェルＨに入れたＡＲＣＨＩＴＥＣＴ（登録商標）プレトリガー溶液（６０μＬ、ｐＨ２．６）に溶出させた。
６．検査した各試料の２つ組の１つ目について、ＡＲＣＨＩＴＥＣＴ（登録商標）プレトリガー溶液（５０μＬ）に溶出した磁気粒子をＫｉｎｇＦｉｓｈｅｒ（商標）磁気粒子プロセッサのウェルＨから不透明マイクロウェルプレートのマイクロウェルに移送した。微小粒子が分散したら、不透明マイクロウェルプレートの各ウェルにＡＲＣＨＩＴＥＣＴ（登録商標）トリガー溶液（１５０μＬ）を注入して、発光測定装置で、化学発光信号を読取った。
７．検査した各試料の２つ組の２つ目について、ＡＲＣＨＩＴＥＣＴ（登録商標）プレトリガー溶液（５０μＬ）に溶出した磁気粒子を、ＫｉｎｇＦｉｓｈｅｒ（商標）磁気粒子プロセッサのウェルＨから不透明マイクロウェルプレートのマイクロウェルに移送した。マイクロウェルプレートをマイクロウェルプレートホルダーに乗せて、磁気棒で磁気粒子を集めて不透明マイクロウェルプレートの各マイクロウェルの底にペレットを形成した。微小粒子がペレット化したら、不透明マイクロウェルプレートの各マイクロウェルにＡＲＣＨＩＴＥＣＴ（登録商標）トリガー溶液（１５０μＬ）を注入して、発光測定装置で、化学発光信号を読取った。
【００９５】
以下の表は上記のアッセイの結果を示す。
【００９６】
【表８】
2011501194.tif 000012
【００９７】
表ＶＩＩＩのデータは、分散した磁気粒子が、ペレット化した磁気粒子含有ウェルと比較して、化学発光信号の２０から４３％を消光してしまうことを示す。化学発光信号の消光割合は、方程式（ペレット化した粒子の正味ＲＬＵ−分散した粒子の正味ＲＬＵ）／（ペレット化した粒子の正味ＲＬＵ）×１００％により求めた。データはまた、ＫｉｎｇＦｉｓｈｅｒ（商標）磁気粒子プロセッサにより試料体積０．８９ｍＬで行ったアッセイは、信号対雑音比３．２で、試料中に濃度０．２ｐｇ／ｍＬで存在するＨＩＶ−１ｐ２４抗原を測定可能なことも示す。
【００９８】
（実施例４）
この実施例は、抗ＨＩＶ−１ｐ２４モノクローナル抗体１２０Ａ−２７０−１０６８で被覆した磁気微小粒子の使用を通じて、試料１．６ｍＬからＨＩＶ−１ｐ２４抗原を捕獲するための試料プロセッサとしてＫｉｎｇＦｉｓｈｅｒ（商標）ｍＬ磁気粒子プロセッサの組合せを用いて、試料中１ｐｇ／ｍＬ未満で含まれるＨＩＶ−１ｐ２４抗原の濃度決定の実行可能性を例示する。ＣＰＳＰ−Ａｃｒ−１１５Ｂ−１５１−４２３接合体を用いて標識とした。ＡＲＣＨＩＴＥＣＴ（登録商標）自動免疫アッセイ分析機を用いて濃度を求めた。結合工程には４本のＫｉｎｇＦｉｓｈｅｒ（商標）管を用い、洗浄工程で、粒子を５本目のＫｉｎｇＦｉｓｈｅｒ（商標）管（粒子希釈剤（２００μＬ）入り）に放出した。
【００９９】
この実施例では以下の材料を用いた。
１．ＨＩＶ−１ｐ２４抗原貯蔵液（７７ｐｇ／ｍｌ）、陰性ヒト血漿で希釈して抗原濃度（ａ）１．８ｐｇ／ｍＬ、（ｂ）０．６ｐｇ／ｍＬ、（ｃ）０．２ｐｇ／ｍＬ、および（ｄ）０．１ｐｇ／ｍＬの希釈試料シリーズを作成
２．ＫｉｎｇＦｉｓｈｅｒ（商標）希釈剤
３．ＰＲＩＳＭ（登録商標）移送洗浄緩衝液
４．１３．５％スクロース入り５０ｍＭ  Ｔｒｉｓ−ＨＣＩ緩衝液（ｐＨ８．０）、１００ｍＭ  ＮａＣＩ、０．１％Ｐｒｏｃｌｉｎ（登録商標）抗生剤、０．１％Ｎｉｐａｓｅｐｔ（登録商標）抗生剤、および０．０００５％Ｑｕｉｎｏｌｏｎｅ（登録商標）抗生剤を含有するＡＲＣＨＩＴＥＣＴ（登録商標）混合微小粒子希釈剤。
５．抗ＨＩＶ−１ｐ２４モノクローナル抗体１１５Ｂ−１５１−４２３含有接合体、抗ＨＩＶ−１ｐ２４モノクローナル抗体１２０Ａ−２７０−１０６８で被覆した磁気微小粒子、およびＰＲＩＳＭ（登録商標）検体希釈剤緩衝液からなるＡＲＣＨＩＴＥＣＴ（登録商標）アッセイ用試薬パック
【０１００】
以下のＫｉｎｇＦｉｓｈｅｒ（商標）ｍＬ磁気粒子プロセッサ設定を用いて、この実施例を実行した。用いたＫｉｎｇＦｉｓｈｅｒ（商標）管は１５列で、各列に５本の管があった。各列の最初の管をＡとする。各列の２本目の管をＢとする。各列の３本目の管をＣとする。各列の４本目の管をＤとする。各列の５本目の管をＥとする。
【０１０１】
ＫｉｎｇＦｉｓｈｅｒ（商標）希釈剤（０．１ｍＬ）、磁気微小粒子（０．１ｍＬ）、および試料（０．８ｍＬ）を各管Ａに加えた。ＫｉｎｇＦｉｓｈｅｒ（商標）希釈剤（０．１ｍＬ）および試料（０．８ｍＬ）を各管Ｂに加えた。ＰＲＩＳＭ（登録商標）移送洗浄緩衝液（０．５ｍＬ）を各管Ｃに加えた。ＰＲＩＳＭ（登録商標）移送洗浄緩衝液（０．５ｍＬ）を各管Ｄに加えた。粒子希釈剤（０．１６ｍＬ）を各管Ｅに加えた。
【０１０２】
プロセスの手順は以下のように行った。
１．ＫｉｎｇＦｉｓｈｅｒ（商標）プロセスの結合工程の間に、管Ａの試料中のＨＩＶ−１ｐ２４抗原は抗ＨＩＶ−１ｐ２４モノクローナル抗体１２０Ａ−２７０−１０６８で被覆された磁気粒子により捕獲された。結合工程は２０分かかった。
２．管Ａの磁気粒子を集めて管Ｂに放出し、工程１に記載したのと同じ結合工程を繰り返して試料からさらにＨＩＶ−１ｐ２４抗原を捕獲した。
３．洗浄工程の間に、管Ｂの磁気粒子を集めて管Ｃ（ＰＲＩＳＭ（登録商標）移送洗浄緩衝液（０．５ｍＬ）入り）に放出し、非特異的に結合した材料を粒子から洗い落とした。洗浄工程は４０秒かかった。
４．管Ｃの磁気粒子を集めて管Ｄに放出し、さらに４０秒間洗浄工程を繰り返した。
５．管Ｄの磁気粒子を集めて管Ｅ（ＡＲＣＨＩＴＥＣＴ（登録商標）粒子希釈剤（０．１６ｍＬ）入り）に放出した。
【０１０３】
３本の管Ｅに放出された微小粒子を１つのＡＲＣＨＩＴＥＣＴ（登録商標）試料カップに移送した。各試料についてこの工程を行った。ＨＩＶ−１ｐ２４抗原についてのアッセイは、ＡＲＣＨＩＴＥＣＴ（登録商標）試薬パック（接合体、粒子希釈剤、および検体希釈剤緩衝液を含む。）を用いて行った。並べて比較するため、ＫｉｎｇＦｉｓｈｅｒ（商標）ｍＬ磁気粒子プロセッサで処理しなかったＨＩＶ−１ｐ２４抗原試料の同じ組合せもＡＲＣＨＩＴＥＣＴ（登録商標）試薬パック（接合体、微小粒子、および検体希釈剤緩衝液を含む。）を用いて通常のＡＲＣＨＩＴＥＣＴ  ＨＩＶ−１ｐ２４アッセイで検査した。試料は全て３つ組で検査した。
【０１０４】
ＡＲＣＨＩＴＥＣＴ（登録商標）ＨＩＶ−１ｐ２４アッセイは、ヒト血清および血漿中のＨＩＶ−１ｐ２４抗原検出用の２工程のサンドイッチ型免疫アッセイであった。最初の工程では、試料（１００μＬ）、検体希釈剤緩衝液（５０μＬ）、および抗ＨＩＶ−１ｐ２４モノクローナル抗体１２０Ａ−２７０−１０６８で被覆された常磁性微小粒子（５０μＬ）を一つにして３７℃で１８分間温置した。試料中に存在するＨＩＶ−１ｐ２４抗原は、抗ＨＩＶ−１ｐ２４モノクローナル抗体１２０Ａ−２７０−１０６８で被覆された微小粒子に結合した。洗浄後、ＣＰＳＰ−Ａｃｒ−１１５Ｂ−１５１−４２３接合体（５０μＬ）を加え、混合物を３７℃で４分間温置した。洗浄工程をもう一度繰り返した後、プレトリガー溶液およびトリガー溶液を反応混合物に加えた。その結果生じる化学発光反応を相対光単位（ＲＬＵ）で測定した。試料中のＨＩＶ−１ｐ２４抗原量とＡＲＣＨＩＴＥＣＴ（登録商標）光学系で検出したＲＬＵ量との間には直接の相関関係が存在する。
【０１０５】
以下の表において、「ＫＦＤ」はＫｉｎｇＦｉｓｈｅｒ（商標）希釈剤を表し、「ｐ２４」はＨＩＶ−１ｐ２４抗原を表し、「ＮＣ」は陰性対照（陰性ヒト血漿）を表し、「μ粒子」は磁気微小粒子を表す。表ＩＸに示す試料処理図は５つの試料を表し、試料のＨＩＶ−１ｐ２４抗原濃度は０ｐｇ／ｍＬ、０．１ｐｇ／ｍＬ、０．２ｐｇ／ｍＬ、０．６ｐｇ／ｍＬ、および１．８ｐｇ／ｍＬであった。各試料は３つ組で、ＫｉｎｇＦｉｓｈｅｒ（商標）ｍＬ磁気粒子プロセッサにより処理され、処理フォーマットは２本の結合管（ＡおよびＢ）、２本の洗浄管（ＣおよびＤ）、および１本の放出管（Ｅ）であった。
【０１０６】
【表９】
2011501194.tif 000013
2011501194.tif 000014
2011501194.tif 000015
【０１０７】
結果を表Ｘおよび表ＶＩに示す。
【０１０８】
【表１０】
2011501194.tif 000016
【０１０９】
【表１１】
2011501194.tif 000017
【０１１０】
表Ｘのデータは、ＫｉｎｇＦｉｓｈｅｒ（商標）ｍＬ磁気粒子プロセッサを用いて、ＡＲＣＨＩＴＥＣＴ（登録商標）免疫アッセイ分析機で免疫アッセイを行う用の試料（合計で１．６ｍＬ）を調製した場合を示す。表ＶＩのデータは、試料（１００μＬ）を通常の様式でＡＲＣＨＩＴＥＣＴ（登録商標）免疫アッセイ機器にかけた場合を示す（即ち、ＫｉｎｇＦｉｓｈｅｒ（商標）ｍＬ磁気粒子プロセッサで処理しなかった。）。信号対雑音比が３を越える場合、陽性結果は陰性結果と識別することができる。表Ｘおよび表ＶＩのデータは両方とも、抗原濃度が上がるほど、ＲＬＵで表される信号も強くなることを示す。しかしながら、ＫｉｎｇＦｉｓｈｅｒ（商標）ｍＬ磁気粒子プロセッサの使用を通じて達成される信号対雑音比は、ＫｉｎｇＦｉｓｈｅｒ（商標）ｍＬ磁気粒子プロセッサを用いないで達成される信号対雑音比をはるかに凌いだ。図８にデータを図示する。図８は、ＡＲＣＨＩＴＥＣＴ（登録商標）自動免疫アッセイ分析機で分析した試料について、逆磁気粒子処理で予め処理しない場合（四角で表示）と逆磁気粒子処理で予め処理した場合（菱形で表示）の両方の信号対雑音比のプロットを示す。読取ったＲＬＵは較正して試料中の抗原濃度を示すことができる。標準偏差、％ＣＶ、および信号対雑音比は、許容範囲内にあった。
【０１１１】
（実施例５）
この実施例は、ＫｉｎｇＦｉｓｈｅｒ（商標）ｍＬ磁気微小粒子プロセッサを用いて量の多い試料を処理した後、超高感度免疫アッセイをどのようにしてＰＲＩＳＭ（登録商標）自動免疫アッセイ分析機で実行するかを例示する。ＰＲＩＳＭ（登録商標）自動免疫アッセイ分析機は、ラテックス微小粒子と化学発光検出技術を用いて血液をスクリーニングする用にＡｂｂｏｔｔ  Ｌａｂｏｒａｔｏｒｉｅｓから販売されている。この実施例では、以下の材料を用いた。
１．抗ＨＩＶ−１ｐ２４モノクローナル抗体１２０Ａ−２７０−１０６８で被覆した磁気微小粒子。磁気微小粒子を微小粒子希釈剤中固体濃度０．５％に希釈した。
２．ＳＰＳＰ−Ａｃｒ−１１５Ｂ−１５１−４２３接合体
３．ＡＲＣＨＩＴＥＣＴ（登録商標）磁気希釈剤
４．ＨＩＶ−１ｐ２４抗原貯蔵液（７７ｐｇ／ｍｌ）、ＫｉｎｇＦｉｓｈｅｒ（商標）ｍＬ磁気微小粒子処理用に正常ヒト血漿で濃度０．２ｐｇ／ｍＬに希釈；ＨＩＶ−１ｐ２４抗原貯蔵液（７７ｐｇ／ｍｌ）、アッセイの通常ＰＲＩＳＭ（登録商標）対照用に濃度４．２ｐｇ／ｍＬに希釈
５．陰性対照としての正常ヒト血漿
６．ＰＲＩＳＭ（登録商標）活性剤希釈剤
７．ＰＲＩＳＭ（登録商標）活性剤濃縮剤
８．ＰＲＩＳＭ（登録商標）ＨＩＶＡＧ移送洗浄液
９．最終洗浄緩衝液７Ｇ５６Ｄ
１０．検体１０倍希釈緩衝液
１１．抗ＨＩＶ−１モノクローナル抗体１２０Ａ−２７０−１０６８で被覆したＣＭＬラテックス微小粒子（Ａｂｂｏｔｔ  Ｌａｂｏｒａｔｏｒｉｅｓ（Ａｂｂｏｔｔ  Ｐａｒｋ，ＩＬ）から入手可能）
【０１１２】
この実施例では、以下のピペットを用いた。
Ｐ２、Ｐ２０、Ｐ２００、Ｐ１０００、Ｐ５０００
「Ｐ」の文字に続く数字は、このピペットにより移送可能なマイクロリットルでの最大容量である。最大容量の値が小さいほど、ピペットにより送達される量の精度を上げることができる。
【０１１３】
ＫｉｎｇＦｉｓｈｅｒ（商標）ｍＬ磁気微小粒子プロセッサおよびＰＲＩＳＭ（登録商標）自動分析機を用いてこの実施例を実行した。
【０１１４】
ＫｉｎｇＦｉｓｈｅｒ（商標）ｍＬ磁気微小粒子プロセッサ用試料の調製は、表ＸＩＩに示すように５本の管の装置で行った。管Ａ中、抗ＨＩＶ−１モノクローナル抗体１２０Ａ−２７０−１０６８で被覆した磁気微小粒子を溶出緩衝液（０．１５％ウシ血清アルブミン含有２５ｍＭグリシン−ＨＣＩ緩衝液、ｐＨ２．１）中で３分間予備洗浄し、ＫｉｎｇＦｉｓｈｅｒ（商標）磁気ロッドで予備捕獲して高磁気粒子を選別した。次いで、捕獲した粒子を試料管Ｂ、Ｃ、およびＤ（管Ｂ、Ｃ、およびＤはそれぞれ、検体希釈剤緩衝液（０．３ｍＬ）および試料（０．７ｍＬ）を含有）に移送して、各試料管中で１５分間ＨＩＶ−１ｐ２４抗原を捕獲した。ＨＩＶ−１ｐ２４抗原が結合した磁気粒子を溶出管Ｅ（溶出緩衝液（１７５μＬ）含有）に移送した。２分間、磁気粒子からＨＩＶ−１ｐ２４抗原を溶出させた後、抗ＨＩＶ−１ｐ２４モノクローナル抗体１２０Ａ−２７０−１０６８で被覆された磁気粒子を管Ｄに移送した。調製にかかった時間は、各工程での各粒子収集および移送のための２分を含めて合計で約６０分であった。
【０１１５】
【表１２】
2011501194.tif 000018
【０１１６】
以下の方法を用いて、ＰＲＩＳＭ（登録商標）自動分析機でＨＩＶ−１用アッセイを実行した。
１．グリシン−ＨＣＩで溶出したＨＩＶ−１ｐ２４抗原（１５０μＬ）をＰＲＩＳＭ（登録商標）自動分析機の試料ウェルに移送した。
２．抗ＨＩＶ−１ｐ２４モノクローナル抗体１２０Ａ−２７０−１０６８で被覆したラテックス微小粒子（５０μＬ、０．２Ｍ  Ｔｒｉｓ緩衝液（１３．６％スクロース）で０．０３３％に希釈）を加えて、３７℃で１８分間、ＨＩＶ−１ｐ２４抗原を再捕獲した。
３．ＨＩＶＡＧ移送洗浄緩衝液を分配して、反応混合物をＰＲＩＳＭ（登録商標）試料トレイのガラス繊維タブウェルに流し込み、ラテックス微小粒子から結合していない材料を洗い落とした。
４．ＳＰＳＰ−Ａｃｒ−１１５Ｂ−１５１−４２３接合体（５０μＬ、７Ｇ４６Ｊ希釈剤で２５ｎｇ／ｍＬに希釈）を、接合体ステーションで手動で加え、ラテックス微小粒子に捕獲されているＨＩＶ−１ｐ２４抗原と、３７℃で２２分間、反応させた。
５．最終洗浄緩衝液（７Ｇ５６Ｄ）をＰＲＩＳＭ（登録商標）試料トレイのガラス繊維タブウェルに分配して、ラテックス微小粒子から遊離の接合体を洗い落とした。
６．ＰＲＩＳＭ（登録商標）トリガー溶液をガラス繊維タブウェルに加えて化学発光信号を発生させた。
【０１１７】
このＰＲＩＳＭ（登録商標）ＨＩＶＡＧアッセイプロトコルは、満足のいく、７０％を越える回収率であった。結果を表ＸＶに示す。
【０１１８】
【表１３】
2011501194.tif 000019
【０１１９】
表ＸＶのデータは、通常のＰＲＩＳＭ（登録商標）アッセイが信号対雑音比４．７であったのに対し、逆磁気粒子処理とＰＲＩＳＭ（登録商標）アッセイを組み合わせて達成された信号対雑音比は３．７、２．０、および５．２であったことを示す。しかしながら、通常のＰＲＩＳＭ（登録商標）アッセイにおける抗原濃度が、逆磁気粒子処理とＰＲＩＳＭ（登録商標）アッセイを組み合わせたアッセイにおける抗原濃度の２１倍の高さであったことに留意すべきである。事実上、逆磁気粒子処理とＰＲＩＳＭ（登録商標）アッセイを組み合わせたアッセイは、通常のＰＲＩＳＭ（登録商標）アッセイにより得られる信号対雑音比の約９倍から２３倍高い信号対雑音比を提供したのである。
【０１２０】
本発明の様々な修飾および改変が、本発明の範囲および精神から逸脱することなく、当業者に明らかとなる。本発明が、本明細書に記載される例示の実施形態に過度に限定されはしないことも理解されるはずである。
【図１】
2011501194.tif 000020
【図２】
2011501194.tif 000021
【図３】
2011501194.tif 000022
【図４】
2011501194.tif 000023
【図５】
2011501194.tif 000024
【図６Ａ】
2011501194.tif 000025
【図６Ｂ】
2011501194.tif 000026
【図６Ｃ】
2011501194.tif 000027
【図６Ｄ】
2011501194.tif 000028
【図６Ｅ】
2011501194.tif 000029
【図６Ｆ】
2011501194.tif 000030
【図７Ａ】
2011501194.tif 000031
【図７Ｂ】
2011501194.tif 000032
【図７Ｃ】
2011501194.tif 000033
【図７Ｄ】
2011501194.tif 000034
【図７Ｅ】
2011501194.tif 000035
【図７Ｆ】
2011501194.tif 000036
【図８】
2011501194.tif 000037
【国際調査報告】
2011501194.tif 000038